(57)【特許請求の範囲】
【請求項１】
ネットワークを介して、商品の出品に用いられる出品者端末装置と、出品された商品の入札に用いられる入札者端末装置と、からの要求に夫々応じて、オークションに関する処理を行うオークション処理装置であって、
前記オークションを利用可能なユーザが所有している商品に関する所有商品情報を、当該商品の所有者を識別するためのユーザ識別情報に対応付けて登録しておくデータベースと、
前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段と、
前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信手段と、
出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段と、
を備えることを特徴とするオークション処理装置。
【請求項２】
請求項１に記載のオークション処理装置において、
前記出品要望通知情報を受信した前記出品者端末装置から、要望された商品の出品の要求を示す出品要求情報が、前記所有者の指令に基づいて送信されてきたときに、当該出品要求情報を受信する出品要求受信手段と、
前記受信された出品要求情報に基づいて、出品される商品に関する出品商品情報を前記データベースに登録する出品商品情報登録手段と、
前記登録された出品商品情報を表示する画面を構成する出品商品画面情報を、前記入札者端末装置からの要求に応じて送信する出品商品画面情報送信手段と、
を更に備えることを特徴とするオークション処理装置。
【請求項３】
請求項２に記載のオークション処理装置において、
前記データベースには、商品の仕様を示す仕様情報が、当該仕様情報を識別するための仕様識別情報に対応付けて登録されており、
前記所有商品情報には、前記ユーザが所有している商品に対応する前記仕様識別情報が付加されており、
前記出品商品情報登録手段は、出品される商品の前記仕様情報を、前記出品要求情報が示す商品の前記所有商品情報に付加されている前記仕様識別情報に基づいて特定し、当該仕様情報が示す仕様の少なくとも一つを当該商品の説明として含む前記出品商品情報を登録し、
前記出品商品画面情報送信手段は、前記登録された出品商品情報の少なくとも前記商品の説明を表示する画面を構成する前記出品商品画面情報送信することを特徴とするオークション処理装置。
【請求項４】
請求項２または請求項３に記載のオークション処理装置において、
前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段を更に備えることを特徴とするオークション処理装置。
【請求項５】
請求項４に記載のオークション処理装置において、
前記ユーザの欲しい商品の登録の要求を示す欲しい商品登録要求情報が、当該ユーザの指令に基づいて前記入札者端末装置から送信されてきたときに、当該欲しい商品登録要求情報を受信する欲しい商品登録要求受信手段と、
前記受信された欲しい商品登録要求情報が示す前記ユーザの欲しい商品に関する欲しい商品情報を前記データベースに登録する欲しい商品情報登録手段と、を更に備え、
前記出品通知情報送信手段は、前記データベースに登録された前記出品商品情報が示す商品に関して前記欲しい商品情報が登録されている前記ユーザが利用する前記入札者端末装置に、前記出品通知情報を送信し、
前記欲しい商品情報登録手段は、前記入札者端末装置から受信された前記出品要望情報が示す商品を、出品を要望した前記非所有者の欲しい商品として、前記欲しい商品情報を登録することを特徴とするオークション処理装置。
【請求項６】
請求項４に記載のオークション処理装置において、
前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段と、
何れかの前記出品者端末装置から出品の要求を示す第２出品要求情報が送信されてきたときに、当該第２出品要求情報を受信する第２出品要求受信手段と、
前記受信された第２出品要求情報に基づいて、出品される商品に関する前記出品商品情報を前記データベースに登録する第２出品商品情報登録手段と、
前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段と、
を更に備えることを特徴とするオークション処理装置。
【請求項７】
請求項２乃至６の何れか１項に記載のオークション処理装置において、
前記所有商品情報を表示する画面であり、且つ、当該所有商品情報が対応する前記所有者が閲覧する画面を構成する所有者用画面情報を生成する所有者用画面情報生成手段と、
前記生成された所有者用画面情報を、前記所有者が利用する前記出品者端末装置からの要求に応じて送信する所有者用画面情報送信手段と、を更に備え、
前記出品要望受信手段は、前記出品要望情報を受信した場合には、当該出品要望情報に基づいて特定された前記所有商品情報が示す商品についての前記出品要求情報を送信するための出品オブジェクトが表示されるように、前記所有者用画面情報生成手段により前記所有者用画面情報を生成させ、
前記出品要求受信手段は、前記所有者用画面情報を受信した前記出品者端末装置から、前記出品オブジェクトが前記所有者により選択されたことによって送信されてきた前記出品要求情報を受信することを特徴とするオークション処理装置。
【請求項８】
請求項１乃至７の何れか１項に記載のオークション処理装置において、
前記出品要望通知送信手段は、１の前記所有商品情報が示す商品に対して、少なくとも２人である予め定められた人数以上の前記非所有者から出品の要望があったと判定した場合に、前記出品要望通知情報を送信することを特徴とするオークション処理装置。
【請求項９】
請求項１乃至８の何れか１項に記載のオークション処理装置において、
前記データベースには、前記ユーザにより設定された閾値が当該ユーザの前記ユーザ識別情報に対応付けて登録され、
前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とするオークション処理装置。
【請求項１０】
請求項１乃至９の何れか１項に記載のオークション処理装置において、
前記出品要望通知送信手段は、前記特定された所有商品情報が対応する前記ユーザの電子メールアドレスを特定し、当該電子メールアドレス宛に、前記出品要望通知情報が示す商品の出品が要望されたことを通知する電子メールを送信することを特徴とするオークション処理装置。
【請求項１１】
ネットワークを介して、商品の出品に用いられる出品者端末装置と、出品された商品の入札に用いられる入札者端末装置と、からの要求に夫々応じて、オークションに関する処理を行うオークション処理装置であって、前記オークションを利用可能なユーザが所有している商品に関する所有商品情報を、当該商品の所有者を識別するためのユーザ識別情報に対応付けて登録しておくデータベースを備えるオークション処理装置により実行されるオークション処理方法において、
前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信工程と、
前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信工程と、
出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信工程と、
を含むことを特徴とするオークション処理方法。
【請求項１２】
請求項１１に記載のオークション処理方法において、
前記出品要望通知情報を受信した前記出品者端末装置から、要望された商品の出品の要求を示す出品要求情報が、前記所有者の指令に基づいて送信されてきたときに、当該出品要求情報を受信する出品要求受信工程と、
前記受信された出品要求情報に基づいて、出品される商品に関する出品商品情報を前記データベースに登録する出品商品情報登録工程と、
前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信工程と、
前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録工程と、
何れかの前記出品者端末装置から出品の要求を示す第２出品要求情報が送信されてきたときに、当該第２出品要求情報を受信する第２出品要求受信工程と、
前記受信された第２出品要求情報に基づいて、出品される商品に関する前記出品商品情報を前記データベースに登録する第２出品商品情報登録工程と、
前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信工程と、
前記登録された出品商品情報を表示する画面を構成する出品商品画面情報を、前記入札者端末装置からの要求に応じて送信する出品商品画面情報送信工程と、
を更に含むことを特徴とするオークション処理方法。
【請求項１３】
請求項１１または請求項１２の何れか１項に記載のオークション処理方法において、
前記データベースには、前記ユーザにより設定された閾値が当該ユーザの前記ユーザ識別情報に対応付けて登録され、
前記出品要望通知送信工程は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とするオークション処理方法。
【請求項１４】
ネットワークを介して、商品の出品に用いられる出品者端末装置と、出品された商品の入札に用いられる入札者端末装置と、からの要求に夫々応じて、オークションに関する処理を行うオークション処理装置であって、前記オークションを利用可能なユーザが所有している商品に関する所有商品情報を、当該商品の所有者を識別するためのユーザ識別情報に対応付けて登録しておくデータベースを備えるオークション処理装置に含まれるコンピュータを、
前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段、
前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信手段、及び、
出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段、
として機能させることを特徴とするオークション処理プログラム。
【請求項１５】
請求項１４に記載のオークション処理プログラムにおいて、
前記コンピュータを、
前記出品要望通知情報を受信した前記出品者端末装置から、要望された商品の出品の要求を示す出品要求情報が、前記所有者の指令に基づいて送信されてきたときに、当該出品要求情報を受信する出品要求受信手段、
前記受信された出品要求情報に基づいて、出品される商品に関する出品商品情報を前記データベースに登録する出品商品情報登録手段、
前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段、
前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段、
何れかの前記出品者端末装置から出品の要求を示す第２出品要求情報が送信されてきたときに、当該第２出品要求情報を受信する第２出品要求受信手段、
前記受信された第２出品要求情報に基づいて、出品される商品に関する前記出品商品情報を前記データベースに登録する第２出品商品情報登録手段、
前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段、及び、
前記登録された出品商品情報を表示する画面を構成する出品商品画面情報を、前記入札者端末装置からの要求に応じて送信する出品商品画面情報送信手段、
として更に機能させることを特徴とするオークション処理プログラム。
【請求項１６】
請求項１４または請求項１５の何れか１項に記載のオークション処理プログラムにおいて、
前記データベースには、前記ユーザにより設定された閾値が当該ユーザの前記ユーザ識別情報に対応付けて登録され、
前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とするオークション処理プログラム。
【請求項１７】
商品の出品に用いられる出品者端末装置と、出品された商品の入札に用いられる入札者端末装置と、ネットワークを介して前記出品者端末装置と前記入札者端末装置とからの要求に夫々応じてオークションに関する処理を行うオークション処理装置と、備えるオークションシステムであって、
前記オークション処理装置は、
前記オークションを利用可能なユーザが所有している商品に関する所有商品情報を、当該商品の所有者を識別するためのユーザ識別情報に対応付けて登録しておくデータベースと、
前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段と、
前記所有商品画面情報を受信した前記入札者端末装置から、当該所有商品画面情報に基づいて表示される前記所有商品情報が示す商品を、当該商品の所有者に出品させる要望を示す出品要望情報を受信する出品要望受信手段と、
出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段と、を備え、
前記入札者端末装置は、
前記オークション処理装置から送信された前記所有商品画面情報を受信する所有商品画面情報受信手段と、
前記受信された所有商品画面情報に基づいて、前記所有商品情報及び前記所有者情報を画面に表示する表示手段と、
前記表示された所有商品情報が示す商品を当該所有商品情報が対応する前記所有者に出品させる前記出品要望情報を、前記非所有者の指令に基づいて送信する出品要望情報送信手段と、を備え、
前記出品者端末装置は、
前記オークション処理装置から送信された前記出品要望通知情報を受信する出品要望通知受信手段と、
前記受信された出品要望通知情報に基づいて、前記所有者が所有している商品の出品が要望されたことを当該出品者に対して通知する通知手段と、
を備えることを特徴とするオークションシステム。
【請求項１８】
請求項１７に記載のオークションシステムにおいて、
前記出品要望通知情報を受信した前記出品者端末装置から、要望された商品の出品の要求を示す出品要求情報が、前記所有者の指令に基づいて送信されてきたときに、当該出品要求情報を受信する出品要求受信手段と、
前記受信された出品要求情報に基づいて、出品される商品に関する出品商品情報を前記データベースに登録する出品商品情報登録手段と、
前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段と、
前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段と、
何れかの前記出品者端末装置から出品の要求を示す第２出品要求情報が送信されてきたときに、当該第２出品要求情報を受信する第２出品要求受信手段と、
前記受信された第２出品要求情報に基づいて、出品される商品に関する前記出品商品情報を前記データベースに登録する第２出品商品情報登録手段と、
前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段と、
前記登録された出品商品情報を表示する画面を構成する出品商品画面情報を、前記入札者端末装置からの要求に応じて送信する出品商品画面情報送信手段と、
を更に備えることを特徴とするオークションシステム。
【請求項１９】
請求項１７または請求項１８の何れか１項に記載のオークションシステムにおいて、
前記データベースには、前記ユーザにより設定された閾値が当該ユーザの前記ユーザ識別情報に対応付けて登録され、
前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とするオークションシステム。
【発明の詳細な説明】
【技術分野】
【０００１】
本発明は、ネットワークを介して商品の競売を行うためのオークション処理装置、オークション処理方法、オークション処理プログラム及びオークションシステムの技術分野に関する。
【背景技術】
【０００２】
従来から、パーソナルコンピュータ等の端末装置を用いてインターネット等のネットワークに接続し、サーバ装置等から提供されるＷｅｂページ等を通じて、商品の出品や入札などのオークションを可能とするオークションシステムが知られている。
【０００３】
こうしたオークションシステムを提供する側の企業等は、当該システムの利用を活発にするために、様々な手段を用いて出品を促進している。
【０００４】
例えば、キャンペーン期間中に出品した場合には、出品するために必要な費用（システムの利用料）を割り引いたり、システム内で利用可能なポイントを付与することによって、ユーザの出品意欲を高めることが一般的に行われている。
【０００５】
また、特許文献１には、実施形態１として、仲介者が特定の商品に関する買情報と売情報を募集し、公開登録された情報に対して、売手や買手が入札を行うことが記載されている。また、当該文献には、実施形態５として、仲介者が購入希望商品と販売希望商品を募集し、類似する商品の買情報と売情報を検索して、条件がある程度一致する買手と売手との間の売買を仲介することが記載されている。
【特許文献１】特開２００１−３５０９６４号公報
【発明の開示】
【発明が解決しようとする課題】
【０００６】
しかしながら、従来の一般的な方法では、漠然と出品を勧めているだけであるから、ユーザは何を出品して良いか分からない。そうすると、ユーザは、勧めに従って何らかの商品を出品したとしても、その商品に対して需要が無ければ落札には至らないことから、ユーザは出品をためらう場合が少なからずあった。
【０００７】
また、特許文献１の実施形態１に記載されている発明では、募集する商品は特定されているが、対象となる商品は仲介者によって決定されてしまうため、ユーザが自分の所有している商品について出品できないという事態も存在する。また、特許文献１の実施形態５に記載されている発明では、販売希望商品を公開登録することは、実質的には出品に該当することから、もし、類似する商品が検索されなかった場合には、公開登録するため（出品するため）の手間や費用が無駄となる。こうしたことが、公開登録を躊躇させる要因にもなる。
【０００８】
本発明は、以上の点に鑑みてなされたものであり、所有している商品に対する需要が存在することをユーザに対して認識させることによって、オークションへの出品を促進することを可能とするオークション処理装置、オークション処理方法、オークション処理プログラム及びオークションシステムを提供することを目的とする。
【課題を解決するための手段】
【０００９】
上記課題を解決するために、請求項１に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、前記オークションを利用可能なユーザが所有している商品に関する所有商品情報を、当該商品の所有者を識別するためのユーザ識別情報に対応付けて登録しておくデータベースと、前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段と、前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信手段と、出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段と、を備えることを特徴とする。
【００１０】
この発明によれば、所有者が所有している商品に関する所有商品情報及び所有者を示す所有者情報が非所有者により閲覧され、非所有者が当該商品の出品を要望すると、オークション処理装置は、その商品の所有者の利用する出品者端末装置に対して出品要望通知情報を送信し、この出品要望通知情報に基づいて、所有している商品の出品が要望されたことが所有者に対して通知される。従って、この通知により、所有者は、自己が所有している商品に対する需要が存在することを認識することができるので、その商品に対する所有者の出品意欲を高め、これによって、オークションへの出品を促進することができる。
【００１１】
請求項２に記載の発明は、請求項１に記載のオークション処理装置において、前記出品要望通知情報を受信した前記出品者端末装置から、要望された商品の出品の要求を示す出品要求情報が、前記所有者の指令に基づいて送信されてきたときに、当該出品要求情報を受信する出品要求受信手段と、前記受信された出品要求情報に基づいて、出品される商品に関する出品商品情報を前記データベースに登録する出品商品情報登録手段と、前記登録された出品商品情報を表示する画面を構成する出品商品画面情報を、前記入札者端末装置からの要求に応じて送信する出品商品画面情報送信手段と、を更に備えることを特徴とする。
【００１２】
請求項３に記載の発明は、請求項２に記載のオークション処理装置において、前記データベースには、商品の仕様を示す仕様情報が、当該仕様情報を識別するための仕様識別情報に対応付けて登録されており、前記所有商品情報には、前記ユーザが所有している商品に対応する前記仕様識別情報が付加されており、前記出品商品情報登録手段は、出品される商品の前記仕様情報を、前記出品要求情報が示す商品の前記所有商品情報に付加されている前記仕様識別情報に基づいて特定し、当該仕様情報が示す仕様の少なくとも一つを当該商品の説明として含む前記出品商品情報を登録し、前記出品商品画面情報送信手段は、前記登録された出品商品情報の少なくとも前記商品の説明を表示する画面を構成する前記出品商品画面情報送信することを特徴とする。
【００１３】
この発明によれば、所有商品情報に付加された仕様識別情報により、所有者が所有している商品の仕様を示す仕様情報が特定され、非所有者から要望された商品を出品する際に、非所有者等に公開される商品の説明として、予め登録されている仕様情報を利用することができるので、出品の際における商品の説明を入力する手間を省くことができる。
【００１４】
請求項４に記載の発明は、請求項２または請求項３に記載のオークション処理装置において、前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段を更に備えることを特徴とする。
【００１５】
この発明によれば、商品が出品されたことが、その商品の出品を要望した非所有者に対して通知されるので、オークションへの入札が促進されるとともに、その結果として、オークションへの出品が促進されることとなる。
【００１６】
請求項５に記載の発明は、請求項４に記載のオークション処理装置において、前記ユーザの欲しい商品の登録の要求を示す欲しい商品登録要求情報が、当該ユーザの指令に基づいて前記入札者端末装置から送信されてきたときに、当該欲しい商品登録要求情報を受信する欲しい商品登録要求受信手段と、前記受信された欲しい商品登録要求情報が示す前記ユーザの欲しい商品に関する欲しい商品情報を前記データベースに登録する欲しい商品情報登録手段と、を更に備え、前記出品通知情報送信手段は、前記データベースに登録された前記出品商品情報が示す商品に関して前記欲しい商品情報が登録されている前記ユーザが利用する前記入札者端末装置に、前記出品通知情報を送信し、前記欲しい商品情報登録手段は、前記入札者端末装置から受信された前記出品要望情報が示す商品を、出品を要望した前記非所有者の欲しい商品として、前記欲しい商品情報を登録することを特徴とする。
【００１７】
この発明によれば、非所有者が出品を要望した商品が当該非所有者の欲しい商品として登録され、欲しい商品として登録された商品が出品されると、当該非所有者は、その旨の通知を受けることができる。従って、出品を要望された所有者が、要望された商品を出品しなかったとしても、他のユーザが同じ商品を出品した場合には、そのことを非所有者は容易に認識することができるので、非所有者は、前記所有者の代わりに他のユーザから出品された所望の商品を入札することができる。
【００１８】
請求項６に記載の発明は、請求項４に記載のオークション処理装置において、前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段と、何れかの前記出品者端末装置から出品の要求を示す第２出品要求情報が送信されてきたときに、当該第２出品要求情報を受信する第２出品要求受信手段と、前記受信された第２出品要求情報に基づいて、出品される商品に関する前記出品商品情報を前記データベースに登録する第２出品商品情報登録手段と、前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段と、を更に備えることを特徴とする。
【００１９】
この発明によれば、非所有者が出品を要望してから一定の期間が経過するまでは、出品を要望した商品が非所有者の欲しい商品として登録されないので、出品を要望された所有者がこの期間内に出品を行えば、当該所有者から欲しい商品が出品されたことのみが非所有者に通知される。従って、出品を要望された所有者自身が出品した商品が他のユーザに優先して入札の対象とされるので、出品要望通知を受けて出品したのに入札されなかったという不都合を防止することができる。一方、一定の期間が経過した後に、出品を要望した商品が非所有者の欲しい商品として登録され、これによって、その商品が他のユーザから出品された場合にも非所有者に通知されるので、出品を要望された所有者が出品しなかった場合でも、非所有者は、他のユーザから所望の商品を入手することができる。
【００２０】
請求項７に記載の発明は、請求項２乃至６の何れか１項に記載のオークション処理装置において、前記所有商品情報を表示する画面であり、且つ、当該所有商品情報が対応する前記所有者が閲覧する画面を構成する所有者用画面情報を生成する所有者用画面情報生成手段と、前記生成された所有者用画面情報を、前記所有者が利用する前記出品者端末装置からの要求に応じて送信する所有者用画面情報送信手段と、を更に備え、前記出品要望受信手段は、前記出品要望情報を受信した場合には、当該出品要望情報に基づいて特定された前記所有商品情報が示す商品についての前記出品要求情報を送信するための出品オブジェクトが表示されるように、前記所有者用画面情報生成手段により前記所有者用画面情報を生成させ、前記出品要求受信手段は、前記所有者用画面情報を受信した前記出品者端末装置から、前記出品オブジェクトが前記所有者により選択されたことによって送信されてきた前記出品要求情報を受信することを特徴とする。
【００２１】
この発明によれば、所有者が所有している商品に関する所有商品情報が所有者自身により閲覧され、画面に表示されたボタンなどの出品オブジェクトが選択されることにより、所有している商品が出品されることとなる。このとき、画面には、出品が要望された商品について出品オブジェクトが表示されるので、自分が所有している商品のうち、需要のある商品が明確になり、更に、その商品をスムーズに出品することができる。
【００２２】
請求項８に記載の発明は、請求項１乃至７の何れか１項に記載のオークション処理装置において、前記出品要望通知送信手段は、１の前記所有商品情報が示す商品に対して、少なくとも２人である予め定められた人数以上の前記非所有者から出品の要望があったと判定した場合に、前記出品要望通知情報を送信することを特徴とする。
【００２３】
この発明によれば、予め定められた人数であって且つ複数の非所有者から出品が要望された場合に所有者に通知が行われる。従って、所有している商品に対して複数のユーザからの需要があることを所有者に認識させることによって、この商品を出品した場合には複数の入札が行われる可能性があるという期待感を所有者に持たせることができる。
【００２４】
請求項９に記載の発明は、請求項１乃至８の何れか１項に記載のオークション処理装置において、前記データベースには、前記ユーザにより設定された閾値が当該ユーザの前記ユーザ識別情報に対応付けて登録され、前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とする。
請求項１０に記載の発明は、請求項１乃至９の何れか１項に記載のオークション処理装置において、前記出品要望通知送信手段は、前記特定された所有商品情報が対応する前記ユーザの電子メールアドレスを特定し、当該電子メールアドレス宛に、前記出品要望通知情報が示す商品の出品が要望されたことを通知する電子メールを送信することを特徴とする。
【００２５】
請求項１１に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、前記オークションを利用可能なユーザが所有している商品に関する所有商品情報を、当該商品の所有者を識別するためのユーザ識別情報に対応付けて登録しておくデータベースを備えるオークション処理装置により実行されるオークション処理方法において、前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信工程と、前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信工程と、出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信工程と、を含むことを特徴とする。
請求項１２に記載の発明は、請求項１１に記載のオークション処理方法において、前記出品要望通知情報を受信した前記出品者端末装置から、要望された商品の出品の要求を示す出品要求情報が、前記所有者の指令に基づいて送信されてきたときに、当該出品要求情報を受信する出品要求受信工程と、前記受信された出品要求情報に基づいて、出品される商品に関する出品商品情報を前記データベースに登録する出品商品情報登録工程と、前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信工程と、前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録工程と、何れかの前記出品者端末装置から出品の要求を示す第２出品要求情報が送信されてきたときに、当該第２出品要求情報を受信する第２出品要求受信工程と、前記受信された第２出品要求情報に基づいて、出品される商品に関する前記出品商品情報を前記データベースに登録する第２出品商品情報登録工程と、前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信工程と、前記登録された出品商品情報を表示する画面を構成する出品商品画面情報を、前記入札者端末装置からの要求に応じて送信する出品商品画面情報送信工程と、を更に含むことを特徴とする。
請求項１３に記載の発明は、請求項１１または請求項１２の何れか１項に記載のオークション処理方法において、前記データベースには、前記ユーザにより設定された閾値が当該ユーザの前記ユーザ識別情報に対応付けて登録され、前記出品要望通知送信工程は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とする。
【００２６】
請求項１４に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、前記オークションを利用可能なユーザが所有している商品に関する所有商品情報を、当該商品の所有者を識別するためのユーザ識別情報に対応付けて登録しておくデータベースを備えるオークション処理装置に含まれるコンピュータを、前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段、前記所有商品画面情報を受信した前記入札者端末装置から、当該所有商品画面情報に基づいて表示される前記所有商品情報が示す商品を、当該商品の所有者に出品させる要望を示す出品要望情報が、前記非所有者の指令に基づいて送信されてきたときに、当該出品要望情報を受信する出品要望受信手段、及び、出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段、として機能させることを特徴とする。
請求項１５に記載の発明は、請求項１４に記載のオークション処理プログラムにおいて、前記コンピュータを、前記出品要望通知情報を受信した前記出品者端末装置から、要望された商品の出品の要求を示す出品要求情報が、前記所有者の指令に基づいて送信されてきたときに、当該出品要求情報を受信する出品要求受信手段、前記受信された出品要求情報に基づいて、出品される商品に関する出品商品情報を前記データベースに登録する出品商品情報登録手段、前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段、前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段、何れかの前記出品者端末装置から出品の要求を示す第２出品要求情報が送信されてきたときに、当該第２出品要求情報を受信する第２出品要求受信手段、前記受信された第２出品要求情報に基づいて、出品される商品に関する前記出品商品情報を前記データベースに登録する第２出品商品情報登録手段、前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段、及び、前記登録された出品商品情報を表示する画面を構成する出品商品画面情報を、前記入札者端末装置からの要求に応じて送信する出品商品画面情報送信手段、として更に機能させることを特徴とする。
請求項１６に記載の発明は、請求項１４または請求項１５の何れか１項に記載のオークション処理プログラムにおいて、前記データベースには、前記ユーザにより設定された閾値が当該ユーザの前記ユーザ識別情報に対応付けて登録され、前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とする。
【００２７】
請求項１７に記載の発明は、商品の出品に用いられる出品者端末装置と、出品された商品の入札に用いられる入札者端末装置と、ネットワークを介して前記出品者端末装置と前記入札者端末装置とからの要求に夫々応じてオークションに関する処理を行うオークション処理装置と、備えるオークションシステムであって、前記オークション処理装置は、前記オークションを利用可能なユーザが所有している商品に関する所有商品情報を、当該商品の所有者を識別するためのユーザ識別情報に対応付けて登録しておくデータベースと、前記所有商品情報と、当該所有商品情報に対応する前記ユーザ識別情報により識別される所有者を示す所有者情報と、を表示する画面を構成する所有商品画面情報を、当該所有商品情報が示す商品の所有者ではない前記ユーザである非所有者が利用する前記入札者端末装置からの要求に応じて送信する所有商品画面情報送信手段と、前記所有商品画面情報を受信した前記入札者端末装置から、当該所有商品画面情報に基づいて表示される前記所有商品情報が示す商品を、当該商品の所有者に出品させる要望を示す出品要望情報を受信する出品要望受信手段と、出品が要望された商品の前記所有商品情報を前記受信された出品要望情報に基づいて特定し、当該所有商品情報が示す商品の出品が要望されたことを通知するための出品要望通知情報を、当該所有商品情報に対応する前記ユーザ識別情報により識別される所有者が利用する前記出品者端末装置に送信する出品要望通知送信手段と、を備え、前記入札者端末装置は、前記オークション処理装置から送信された前記所有商品画面情報を受信する所有商品画面情報受信手段と、前記受信された所有商品画面情報に基づいて、前記所有商品情報及び前記所有者情報を画面に表示する表示手段と、前記表示された所有商品情報が示す商品を当該所有商品情報が対応する前記所有者に出品させる前記出品要望情報を、前記非所有者の指令に基づいて送信する出品要望情報送信手段と、を備え、前記出品者端末装置は、前記オークション処理装置から送信された前記出品要望通知情報を受信する出品要望通知受信手段と、前記受信された出品要望通知情報に基づいて、前記所有者が所有している商品の出品が要望されたことを当該出品者に対して通知する通知手段と、を備えることを特徴とする。
請求項１８に記載の発明は、請求項１７に記載のオークションシステムにおいて、前記出品要望通知情報を受信した前記出品者端末装置から、要望された商品の出品の要求を示す出品要求情報が、前記所有者の指令に基づいて送信されてきたときに、当該出品要求情報を受信する出品要求受信手段と、前記受信された出品要求情報に基づいて、出品される商品に関する出品商品情報を前記データベースに登録する出品商品情報登録手段と、前記出品要望通知情報を受信した前記出品者端末装置から送信された前記出品要求情報に基づいて前記出品商品情報が登録された場合に、当該出品商品情報が示す商品が出品されたことを通知するための出品通知情報を、当該商品の出品を要望した前記非所有者が利用する前記入札者端末装置に送信する出品通知情報送信手段と、前記出品要望情報が受信されてから予め定められた期間が経過した場合に、当該出品要望情報が示す商品を、出品を要望した前記非所有者の欲しい商品として、前記非所有者の欲しい商品に関する欲しい商品情報を前記データベースに登録する欲しい商品情報登録手段と、何れかの前記出品者端末装置から出品の要求を示す第２出品要求情報が送信されてきたときに、当該第２出品要求情報を受信する第２出品要求受信手段と、前記受信された第２出品要求情報に基づいて、出品される商品に関する前記出品商品情報を前記データベースに登録する第２出品商品情報登録手段と、前記データベースに登録された前記欲しい商品情報が示す商品の前記出品商品情報が登録された場合、当該欲しい商品情報が対応する前記非所有者が利用する前記入札者端末装置に、前記出品通知情報を送信する第２出品通知情報送信手段と、前記登録された出品商品情報を表示する画面を構成する出品商品画面情報を、前記入札者端末装置からの要求に応じて送信する出品商品画面情報送信手段と、を更に備えることを特徴とする。
請求項１９に記載の発明は、請求項１７または請求項１８の何れか１項に記載のオークションシステムにおいて、前記データベースには、前記ユーザにより設定された閾値が当該ユーザの前記ユーザ識別情報に対応付けて登録され、前記出品要望通知送信手段は、１の前記所有商品情報が示す商品に対して、当該所有商品情報に対応する前記ユーザ識別情報に対応する前記閾値以上の前記非所有者から出品の要望があったと判定した場合に、前記出品要望通知情報を送信することを特徴とする。
【発明の効果】
【００２８】
本発明によれば、所有している商品の出品が要望されたことが所有者に対して通知されることにより、所有者は、自己が所有している商品に対する需要が存在することを認識することができるので、その商品に対する所有者の出品意欲を高め、これによって、オークションへの出品を促進することができる。
【発明を実施するための最良の形態】
【００２９】
以下、図面を参照して本発明の最良の実施形態について詳細に説明する。なお、以下に説明する実施の形態は、商品取引システムに対して本発明を適用した場合の実施形態である。
【００３０】
［１．商品取引システムの構成及び機能概要］
先ず、本実施形態に係る商品取引システムＳの構成及び概要機能について、図１を用いて説明する。
【００３１】
図１は、本実施形態に係る商品取引システムＳの概要構成の一例を示す図である。
【００３２】
図１に示すように、商品取引システムＳは、商品取引サイトシステム１と、店舗端末３−ｊ（ｊ＝１，２・・・ｍ）と、出品者端末装置及び入札者端末装置の一例としてのユーザ端末４−ｋ（ｋ＝１，２・・・ｎ）と、を含んで構成されている。
【００３３】
商品取引サイトシステム１は、ショッピングデータベース１０１を備えるショッピングサーバ１−１と、オークションデータベース１０２を備えるオークションサーバ１−２と、ＳＮＳ（Social Networking Service）・ブログ（Blog）サーバ１−３と、会員情報データベース１００と、を備えている。このとき、ショッピングデータベース１０１、オークションサーバ１−２、オークションデータベース１０２及びＳＮＳ・ブログサーバ１−３は、オークション処理装置の一例を構成する。
【００３４】
ショッピングサーバ１−１とオークションサーバ１−２とＳＮＳ・ブログサーバ１−３とは、例えば、ＬＡＮ（Local Area Network）等のネットワークＮＷ２を介して、通信プロトコルにＴＣＰ／ＩＰ（Transmission Control Protocol/Internet Protocol）等を用いて相互にデータの送受信が可能になっているとともに、当該ネットワークＮＷ２を介して会員情報データベース１００にアクセスするようになっている。
【００３５】
また、ショッピングサーバ１−１、オークションサーバ１−２及びＳＮＳ・ブログサーバ１−３と、店舗端末３−ｊ及びユーザ端末４−ｋとは、ネットワークＮＷ１を介して、例えば、通信プロトコルにＴＣＰ／ＩＰ等を用いて相互にデータの送受信が可能になっている。なお、ネットワークＮＷ１は、例えば、インターネット、専用通信回線（例えば、ＣＡＴＶ（Community Antenna Television）回線）、移動体通信網（基地局等を含む）、及びゲートウェイ等により構築されている。
【００３６】
このような構成の商品取引システムＳにおいて、商品取引サイトシステム１は、例えば、ネットワークＮＷ１を通じて各種のサービスを提供するサービス提供事業者により、商品の販売を業とする企業、個人事業主等のみが商品を販売することができるショッピングサイトと、企業等に加えて、一般消費者であるユーザも商品を出品することができるオークションサイトと、ＳＮＳ・ブログサイトとを運営するために構築されたシステムである。
【００３７】
このサービス提供事業者は、ＡＳＰ（Application Service Provider）でもあり、商品を販売する複数の企業等と出店契約を締結して、これらの企業等がショッピングサイト上で出店して商品の販売を可能とするためのアプリケーションを、ショッピングサーバ１−１を通じて提供するようになっている。企業等は、事前にサービス提供事業者による出店審査を経なければならないようになっており、この出店審査において、信用のおける販売業者と認められた企業等に対してのみ、ショッピングサイトでの出店が許可されるようになっている。なお、サービス提供事業者と出店契約を結んだ企業等を、以下、「店舗」と称する。
【００３８】
サービス提供事業者と契約している店舗に関する情報や、ショッピングサイトで販売されている商品の情報、ユーザが購入した商品に関する情報等は、ショッピングデータベース１０１に登録されている。また、オークションサイトでの出品に関する情報、入札に関する情報、落札に関する情報等は、オークションデータベース１０２に登録されている。また、ショッピングサイトで商品を購入したり、オークションサイトで商品の出品や入札を行うために、ユーザは、商品取引システムＳの会員登録手続を行うことにより、当該システムを利用することが可能になっており（以下、商品取引システムＳを利用することができるユーザを「会員」とも称する）、登録された会員に関する会員情報等は会員情報データベース１００に登録されるようになっている。
【００３９】
そして、ショッピングサーバ１−１は、店舗端末３−ｊやユーザ端末４−ｋのリクエストに応じて、ショッピングデータベース１０１や会員情報データベース１００にアクセスしつつ、店舗とユーザとの間における商品の売買を成立させるための処理を行うようになっている。
【００４０】
また、ショッピングサーバ１−１は、ショッピングサイトで販売されている商品や、オークションサイトで出品されている商品のカタログ情報を表示する、図１０を用いて後述するカタログページ３００（Ｗｅｂページ）をユーザ端末４−ｋに送信するようになっており、これによって、ユーザは、商品の仕様や内容を閲覧することができるようになっている。このカタログ情報は、サービス提供事業者によって予め入力された情報であり、ショッピングデータベース１０１に登録されている。また、このカタログ情報は、対象商品を販売する店舗が異なる場合等でも変化しない共通の情報であって、主として客観的な情報で構成されている。
【００４１】
一方、オークションサーバ１−２は、ユーザ端末４−ｋのリクエストに応じて、オークションデータベース１０２や会員情報データベース１００にアクセスしつつ、ユーザ端末４−ｋのユーザ間における競売を成立させるための処理を行うようになっている。
【００４２】
また、ＳＮＳ・ブログサーバ１−３は、会員に対して、ユーザ端末４−ｋのリクエストに応じて、ブログサービスやＳＮＳ（Social Networking Service）を提供するための処理を行うようになっている。会員は、自分の欲しい商品や、自分が所有しているお気に入りの商品等を、このブログサービスやＳＮＳを通じて他の会員等に公開することができるようになっている。これら会員の欲しい商品や、会員が所有しているお気に入りの商品に関する情報は、オークションデータベース１０２に登録されるようになっている。
【００４３】
そして、上記サービスの提供に関連して、商品取引サイトシステム１は、会員が欲しい商品がオークションサイトで出品された場合には、その旨を当該会員に通知するようになっており、これによって、その商品の入札が当該会員に対して促されることになる。ここで、詳細は後述するが、会員が欲しい商品に関する情報と、オークションサイトで出品された商品に関する情報とは、それぞれカタログＩＤ（仕様識別情報の一例）によって、対象とする商品のカタログ情報と対応付けられている。このカタログＩＤを利用することにより、会員が欲しくはない商品が出品されたことが、誤って通知されることを防止することができるようになっている。なお、会員が欲しい商品のリストを、「欲しいものリスト」と称する。
【００４４】
また、商品取引サイトシステム１においては、会員が所有しているお気に入りの商品を他の会員が欲しい場合に、当該他の会員が、その商品をオークションサイトへ出品するよう要望（リクエスト）することができるようになっており、このとき、商品取引サイトシステム１は、出品が要望されている商品の所有者に対して、その旨を通知するようになっている。なお、会員が所有しているお気に入りの商品のリストを、「持っているものリスト」と称する。
【００４５】
次に、店舗端末３−ｊは、サービス提供事業者と出店契約を締結した店舗により利用される端末装置であり、例えば、パーソナルコンピュータ等を適用することができる。そして、店舗端末３−ｊは、ショッピングサーバ１−１やオークションサーバ１−２にアクセスして、Ｗｅｂページを取得し、画面に表示するようになっている。これにより、店舗は、Ｗｅｂページを通じて、ショッピングサイトにおける売り出し中の商品のページの管理を行ったり、販売履歴等の確認を行うことができるようになっているとともに、オークションサイトにおいて商品の出品や入札を行うことができるようになっている。
【００４６】
次に、ユーザ端末４−ｋは、ショッピングサーバ１−１やオークションサーバ１−２、ＳＮＳ・ブログサーバ１−３にアクセスしてＷｅｂページを取得し、画面に表示するようになっている。これにより、ユーザは、当該Ｗｅｂページを通じて、商品の購入を行ったり、商品の出品や入札を行ったり、ＳＮＳやブログサービスを利用することができるようになっている。このユーザ端末４−ｋは、例えば、パーソナルコンピュータ、ＰＤＡ（Personal Digital Assistant）、ＳＴＢ（Set Top Box）、携帯電話機等を適用することができる。
【００４７】
なお、店舗端末３−ｊ及びユーザ端末４−ｋには、夫々所定のオペレーティングシステム、Ｗｅｂブラウザアプリケーション、電子メールアプリケーション等がインストールされている。
【００４８】
［２．ショッピングサーバ、オークションサーバ、ＳＮＳ・ブログサーバの構成及び機能、会員情報データベースの構成］
次に、ショッピングサーバ１−１、オークションサーバ１−２及びＳＮＳ・ブログサーバ１−３の構成及び機能、並びに、会員情報データベース１００の構成について、図２乃至図６を用いて説明する。
【００４９】
図２は、本実施形態に係るショッピングサーバ１−１、オークションサーバ１−２及びＳＮＳ・ブログサーバ１−３の概要構成の一例を示すブロック図である。また、図３は、会員情報データベース１００に登録される情報の内容の一例を示す図である。また、図４は、ショッピング情報データベース１０１に登録される情報の内容の一例を示す図である。また、図５は、オークションデータベース１０２に登録される情報の内容の一例を示す図である。また、図６（ａ）は、欲しい商品情報に設定される内容の一例を示す図である。また、図６（ｂ）は、お気に入り所有商品情報に設定される内容の一例を示す図である。
【００５０】
なお、ショッピングサーバ１−１、オークションサーバ１−２及びＳＮＳ・ブログサーバ１−３のハードウエアの構成は基本的に同一であるので、以下、まとめて説明する。
【００５１】
図２に示すように、ショッピングサーバ１−１、オークションサーバ１−２及びＳＮＳ・ブログサーバ１−３は、操作部１１と、表示部１２と、通信部１３と、ドライブ部１４と、記憶部１５と、入出力インタフェース部１６と、システム制御部２０と、を備えている。そして、システム制御部２０と入出力インタフェース部１６とは、システムバス２１を介して接続されている。
【００５２】
操作部１１は、例えば、キーボード、マウス等により構成されており、オペレータ等からの操作指示を受け付け、その指示内容を指示信号としてシステム制御部２０に出力するようになっている。表示部１２は、例えば、ＣＲＴ（Cathode Ray Tube）ディスプレイ、液晶ディスプレイ等により構成されており、文字や画像等の情報を表示するようになっている。通信部１３は、ネットワークＮＷ１、ＮＷ２等に接続して、他のサーバ装置、店舗端末３−ｊ、ユーザ端末４−ｋ等との通信状態を制御するようになっている。ドライブ部１４は、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するようになっている。記憶部１５は、例えば、ハードディスクドライブ等により構成されており、各種プログラム及びデータ等を記憶するようになっている。入出力インタフェース部１６は、操作部１１〜記憶部１５とシステム制御部２０との間のインタフェース処理を行うようになっている。システム制御部２０は、ＣＰＵ（Central Processing Unit）１７、ＲＯＭ（Read Only Memory）１８、ＲＡＭ（Random Access Memory）１９等により構成されている。
【００５３】
次に、会員情報データベース１００は、ＮＡＳ（Network Attached Storage）等に格納されたハードディスク上等に構築されている。そして、図３に示すように、会員情報データベース１００には、商品取引システムＳの会員に関する会員情報が、当該会員を識別するための会員ＩＤに対応付けられて登録されている。具体的に会員情報には、例えば、会員ＩＤ、ログインするためのパスワード、会員の氏名、郵便番号、住所、電話番号、電子メールアドレス、生年月日、性別、クレジットカードのカード番号及びその有効期限等が設定される。
【００５４】
なお、会員情報データベース１００は、当該データベースを管理するためのＤＢＭＳ（Relational DataBase Management System）等が組み込まれた会員情報データベース管理サーバによって管理されても良い。この場合、会員情報データベース１００への各サーバからのアクセスは、会員情報データベース管理サーバを介して行われることとなる。
【００５５】
ショッピングサーバ１−１の記憶部１５には、ショッピングデータベース１０１が構築されている。そして、図４に示すように、ショッピングデータベース１０１には、ユーザ系情報、店舗系情報及びカタログ情報が登録されている。
【００５６】
先ず、ユーザ系情報は、ショッピングサイトを利用する会員に関する情報であり、会員ＩＤに対応付けて登録されている。具体的に、ユーザ系情報には、会員ＩＤ、会員のニックネーム、購入履歴、レビュー情報、ポイントが設定される。
【００５７】
ここで、購入履歴は、会員の、ショッピングサイトにおける商品購入についての履歴を示す情報であり、一度の購入毎に、購入履歴ＩＤと対応付けられて登録されている。具体的に、購入履歴には、購入履歴ＩＤ、商品の購入日時、購入先の店舗を識別するための店舗ＩＤ、購入された商品を識別するための商品ＩＤ、購入された商品についてのカタログ情報を識別するためのカタログＩＤ、購入価格、注文者情報（商品を注文（購入）したユーザの郵便番号、住所、氏名、電話番号、電子メールアドレス等）、送付先情報（購入された商品の送付先の郵便番号、住所、氏名、電話番号等）、出品リコメンド（Recommend）状態等が設定される。
【００５８】
出品リコメンド状態は、ショッピングサイトで会員が購入した商品をオークションサイトで出品する（このような形態の出品を、以下、「リコメンド出品」と称する）ように当該会員に対して勧めたか否か等を示す情報であり、リコメンド未実施、リコメンド実施中、または、リコメンド終了の何れかが設定される。リコメンド未実施は、出品リコメンド（出品を勧めること）を未だ行っていない状態を示し、リコメンド実施中は、出品リコメンドを行っている状態を示し、リコメンド終了は、該当の商品について出品が行われたため、出品リコメンドを終了した状態を示す。
【００５９】
また、レビュー情報は、購入した商品に対する会員の批評や評価、購入先の店舗に対する会員の批評や評価を示す情報である。
【００６０】
また、ポイントは、会員がショッピングサイトで商品を購入した場合に付与される点数であり、会員は、ショッピングサイトでの商品の購入代金や、オークションサイトで落札した商品の購入代金等に、当該ポイントを充てることができるようになっている。
【００６１】
次に、店舗系情報は、出店審査を経て、ショッピングサイトでの商品の販売を許可された店舗に関する情報を示し、店舗ＩＤに対応付けて登録されている。具体的に、店舗系情報には、店舗ＩＤ、店舗の名称を示す店舗名、売り出し中商品情報、販売履歴等が設定される。
【００６２】
ここで、売り出し中商品情報は、売り出された商品に関する情報であり、売り出された商品毎に、商品ＩＤと対応付けて登録されている。具体的に、売り出し中商品情報には、店舗ＩＤ、商品ＩＤ、売り出された商品のカタログ情報のカタログＩＤ、商品名、商品説明、商品個数、販売価格、商品等の画像データの登録先を示す画像ＵＲＬ（Uniform Resource Locator）等が設定される。
【００６３】
商品ＩＤは、各店舗内において一意に付与されており、店舗間では重複して付与される場合もある。ただし、商品ＩＤは、全店舗を通じて一意に付与されても良い。
【００６４】
カタログ情報は、上述したように、商品の仕様や内容を示す情報であり、商品毎に、カタログＩＤと対応付けて登録されている。具体的に、カタログ情報には、カタログＩＤ、商品名、ジャンル情報、商品概要情報、商品仕様情報（商品概要情報及び商品仕様情報は、仕様情報の一例）、商品画像データの登録先を示す画像ＵＲＬ等が設定される。
【００６５】
ここで、ジャンル情報は、商品が属するジャンルを示す情報である。このジャンルは、通常、階層構造で規定されている。例えば、ＡＢＣ社製の１２〜１４インチのディスプレイを備えるノートパソコンは、「トップ > パソコン・周辺機器 > パソコン・コンピュータ > ノートパソコン > ＡＢＣ > 12〜14インチ」と規定され、「>」の左側に示されるジャンルは、「>」の右側に示されるジャンルの直接上位に属するジャンルである。また、商品が複数のジャンルに属する場合には、複数のジャンル情報が設定されるようになっている。
【００６６】
また、商品概要情報は、商品の特徴などを簡単にまとめた文章情報である。
【００６７】
また、商品仕様情報は、商品の具体的な仕様や内容を示す情報である。例えば、ノートパソコンの場合は、製品名、型番、メーカー、シリーズ、標準価格、サイズ、発売日、搭載ＯＳ、搭載ＣＰＵ、ＣＰＵの動作周波数、搭載メモリーの容量、最大搭載メモリーの容量、メモリー規格、メモリーのスロット数、幅、高さ、奥行き、重量、バッテリー駆動時間、付属品等が設定される。また、例えば、動画ＤＶＤソフトの場合は、出演者、監督、受賞した賞、発売日、発売元、画像サイズ等が設定される。
【００６８】
なお、カタログ情報は、全ジャンルの商品について登録されても良いし、一部のジャンルの商品についてのみ登録されても良いが、当該カタログ情報は、商品の仕様を含むことから、各商品の品質が均一なもの（例えば、パソコン及びその周辺機器、オーディオ・ビジュアル機器、カメラ、家電製品、ＤＶＤ・ＣＤソフト、書籍、スポーツ用品、車等）については、登録しておくことが望ましく、その逆に、各商品の品質が均一ではないもの（例えば、生鮮食品、植物、ペット等）については、登録すべきではない。
【００６９】
オークションサーバ１−２の記憶部１５には、オークションデータベース１０２が構築されている。そして、図５に示すように、オークションデータベース１０２には、オークションに関する情報が、各会員毎に、会員ＩＤと対応付けて登録されている。具体的に、オークションデータベース１０２には、会員ＩＤ、会員のニックネーム、入札情報、落札情報、出品情報（出品商品情報の一例）、被落札情報、ウォッチリスト情報、評価情報、欲しい商品情報、お気に入り所有商品情報（所有商品情報の一例）、出品リマインド（Remind）しきい要望人数等が登録されている。
【００７０】
先ず、入札情報は、会員による入札に関する情報であり、入札した商品毎に、オークションＩＤと対応付けて登録されている。具体的に、入札情報には、オークションＩＤ、入札されたことによって付与される入札番号、入札日時、入札個数、入札価格等が設定される。
【００７１】
次に、落札情報は、会員によって落札された商品に関する情報であり、落札した商品毎に、オークションＩＤと対応付けて登録されている。具体的に、落札情報には、オークションＩＤ、入札番号、落札日時、落札個数、落札価格等が設定される。
【００７２】
次に、出品情報は、会員によって出品された商品に関する情報であり、出品された商品毎に、そのオークションを識別するためのオークションＩＤと対応付けて登録されている。具体的に、出品情報には、オークションＩＤ、出品された商品のカタログ情報のカタログＩＤ、商品名、出品個数、出品された商品が属するジャンルを示すジャンル情報、新品または中古を示す商品状態、商品説明文、開始価格、即落価格、最低入札価格、オークション開始日時、オークション終了日時、出品された商品等の画像データの登録先を示す画像ＵＲＬ、入札件数、現在価格、最高額で入札した会員の会員ＩＤ、当該会員のニックネーム等が設定される。また、出品された商品が、ショッピングサイトで購入された商品である場合には、出品情報には、購入先の店舗の店舗名と店舗ＩＤとが更に設定される。
【００７３】
次に、被落札情報は、会員によって出品された商品のうち、他の会員によって落札された商品に関する情報であり、落札された商品毎に、オークションＩＤと対応付けて登録されている。具体的に、被落札情報には、オークションＩＤ、カタログＩＤ、商品名、出品個数、ジャンル情報、商品状態、商品説明文、開始価格、即落価格、最低入札価格、オークション開始日時、オークション終了日時、画像ＵＲＬ、入札件数、現在価格、最高額で入札した会員の会員ＩＤ、当該会員のニックネーム、落札した会員の会員ＩＤ、落札した会員のニックネーム、落札価格等が設定される。
【００７４】
次に、欲しい商品情報は、会員が欲しいと思っている商品に関する情報であり、欲しい商品毎に、その商品を識別するための欲しい商品ＩＤと対応付けて登録されている。また、会員毎に欲しい商品情報をまとめたものが欲しいものリストに相当する。具体的に、欲しい商品情報は、図６に示すように、欲しい商品ＩＤ、欲しい商品のカタログＩＤ、当該商品に関するコメント、欲しい商品オークション情報等が設定される。
【００７５】
ここで、欲しい商品オークション情報には、会員の欲しい商品が出品されているオークションの商品名及びオークションＩＤが設定される。
【００７６】
なお、欲しい商品のカタログＩＤの設定は必須ではない。
【００７７】
次に、お気に入り所有商品情報は、会員が所有している商品のうち、当該会員が気に入っている商品に関する情報であり、お気に入りの商品毎に、その商品を識別するためのお気に入り商品ＩＤと対応付けて登録されている。また、会員毎にお気に入り所有商品情報をまとめたものが持っているものリストに相当する。具体的に、お気に入り所有商品情報は、お気に入り商品ＩＤ、お気に入りの商品の商品名、カタログＩＤ、当該商品に関するコメント、当該商品の画像データの登録先を示す画像ＵＲＬ、出品要望関連情報、出品リマインド状態等が設定される。
【００７８】
出品要望関連情報は、会員が所有しているお気に入りの商品に対してオークションサイトへの出品が要望された場合に設定される情報であり、出品を要望した人数を示す出品要望人数、出品を要望した会員の会員ＩＤ等が設定される。
【００７９】
出品リマインド状態は、会員が所有しているお気に入りの商品に対する需要があるため、その商品をオークションサイトで出品する（このような形態の出品を、以下、「リマインド出品」と称する）よう当該会員に対して勧めたか否か等を示す情報であり、リマインド未実施、リマインド実施中、または、リマインド終了の何れかが設定される。リマインド未実施は、出品リマインド（会員が所有している商品に対する需要があることを気づかせ、その商品の出品を勧めること）を未だ行っていない状態を示し、リマインド実施中は、出品リマインドを行っている状態を示し、リマインド終了は、該当の商品について出品が行われたため、出品リマインドを終了した状態を示す。
【００８０】
なお、お気に入りの商品のカタログＩＤの設定は必須ではない。
【００８１】
次に、出品リマインドしきい要望人数は、１のお気に入りの所有商品に対して何人のユーザから出品の要望があったときに出品リマインドを行うかを示す情報である。例えば、出品リマインドしきい要望人数が２人に設定されている場合に、出品要望人数が１人である間は、出品リマインドは行われず、出品要望人数が２人になったときに（または、２人以上の場合に）、出品リマインドが行われる。この出品リマインドしきい要望人数には、１人以上の人数が設定されている。
【００８２】
なお、会員情報データベース１００、ショッピングデータベース１０１及びオークションデータベース１０２の一部または全部を一つのデータベースに統合しても良い。この場合は、例えば、統合したデータベースをＮＡＳに格納し、ネットワークＮＷ２等に接続して、ショッピングサーバ１−１、オークションサーバ１−２及びＳＮＳ・ブログサーバ１−３の何れからでもアクセスを可能に構成しても良い。
【００８３】
また、ショッピングサーバ１−１、オークションサーバ１−２及びＳＮＳ・ブログサーバ１−３の記憶部１５には、夫々、ショッピングサイトやオークションサイトのＷｅｂページを構成するＨＴＭＬデータ、画像データ、音声データ、テキストデータ等が記憶されている。
【００８４】
更に、ショッピングサーバ１−１、オークションサーバ１−２及びＳＮＳ・ブログサーバ１−３の記憶部１５には、夫々、所定のオペレーティングシステムの他、ＨＴＴＰ（Hyper Text Transfer Protocol）プロトコルを用いて、店舗端末３−ｊ、ユーザ端末４−ｋ等から送信されたリクエストに応じて、当該記憶部１５に記憶されている各種のデータに基づきＷｅｂページを生成し、当該Ｗｅｂページを店舗端末３−ｊ、ユーザ端末４−ｋ等に送信するためのＷＷＷ（World Wide Web）サーバプログラム、ＳＭＴＰ（Simple Mail Transfer Protocol）プロトコルを用いて、他のメールサーバから送信された電子メールを受信する一方、サーバ自らが作成した電子メールを、他のメールサーバに送信するためのメールサーバプログラム、各データベースを管理するデータベース管理プログラム等が記憶されている。
【００８５】
また更に、ショッピングサーバ１−１には、ショッピングデータベース１０１に登録されている各種情報を管理する管理プログラム、ショッピングサイトにおける商品の販売、購入等に関する処理を行うショッピング処理プログラム等が記憶されている。更にまた、オークションサーバ１−２には、オークションデータベース１０２に登録されている各種情報を管理する管理プログラム、オークションサイトにおける出品、入札、落札、出品者と落札者との間の連絡等に関する処理を行うオークション処理プログラム等が記憶されている。また更に、ＳＮＳ・ブログサーバ１−３には、当該サーバの記憶部１５に記憶されているＳＮＳやブログサービスに関する情報を管理する管理プログラム、ＳＮＳの各コミュニティを管理したり、コミュニティにおけるユーザ間の情報の交換を行うためのＳＮＳ処理プログラム、ブログサービスにおいて日記、コメント等の登録や閲覧に関する処理を行うブログ処理プログラム、ＳＮＳ・ブログサービスのユーザのプロフィール等を管理するプロフィール管理プログラム等が記憶されている。
【００８６】
なお、各種プログラム等は、例えば、他のサーバ装置等からネットワークＮＷ１を介して取得されるようにしても良いし、ＣＤ−ＲＯＭ等のディスクＤＫに記録されてドライブ部１４を介して読み込まれるようにしても良い。
【００８７】
ＳＮＳ・ブログサーバ１−３のシステム制御部２０は、所有商品画面情報送信手段の一例を構成している。
【００８８】
そして、ＳＮＳ・ブログサーバ１−３のシステム制御部２０は、ＣＰＵ１７が、ＲＯＭ１８や記憶部１５に記憶された各種プログラムを読み出し実行することによりＳＮＳ・ブログサーバ１−３の各部を制御するとともに、所有商品画面情報送信手段等として機能するようになっている。
【００８９】
具体的に、ＳＮＳ・ブログサーバ１−３のシステム制御部２０は、ユーザ端末４−ｋからのリクエストに応じて、図１３を用いて後述するプロフィールページ１０００（所有商品画面情報の一例）を当該ユーザ端末４−ｋに送信するようになっている。
【００９０】
プロフィールページとは、ＳＮＳ・ブログサービスに登録されているユーザのプロフィールを表示するＷｅｂページであるが、上述のプロフィールページ１０００は、プロフィールを表示するとともに、ユーザの持っているものリストを表示するＷｅｂページである。このプロフィールページ１０００には、ユーザが所有しているお気に入りの商品をオークションサイトへ出品するよう要望するための出品リクエストボタン１０３２（出品オブジェクトの一例）が設けられている。
【００９１】
ＳＮＳ・ブログサーバ１−３のシステム制御部２０は、オークションデータベース１０２に登録されているお気に入り所有商品情報を、オークションサーバ１−２から取得して、プロフィールページ１０００を生成するようになっている。
【００９２】
オークションサーバ１−２のシステム制御部２０は、出品要望受信手段、出品要望通知送信手段、出品要求受信手段、出品商品情報登録手段、出品商品画面情報送信手段、出品通知情報送信手段、欲しい商品登録要求受信手段、欲しい商品情報登録手段、所有者用画面情報生成手段、所有者用画面情報送信手段の一例を構成している。
【００９３】
そして、オークションサーバ１−２のシステム制御部２０は、ＣＰＵ１７が、ＲＯＭ１８や記憶部１５に記憶された各種プログラムを読み出し実行することによりオークションサーバ１−２の各部を制御するとともに、上述した各手段等として機能するようになっている。
【００９４】
この各手段等としての機能について説明する。なお、以下の説明において、単に「システム制御部２０」というときは、「オークションサーバ１−２のシステム制御部２０」を意味するものとする。
【００９５】
所有者用画面情報生成手段としてのシステム制御部２０は、ユーザ端末４−ｋからのリクエストに応じて、当該ユーザ端末４−ｋのユーザの持っているものリストを表示するための、図１５を用いて後述する持っているものリスト表示エリア１１００を含んだマイオークションページ２００を生成するようになっている。
【００９６】
また、所有者用画面情報送信手段としてのシステム制御部２０は、生成されたマイオークションページ２００を、当該ページによって表示される持っているものリストのユーザのユーザ端末４−ｋに送信するようになっている。
【００９７】
また、出品要望受信手段としてのシステム制御部２０は、ＳＮＳ・ブログサーバ１−３によりユーザ端末４−ｋに対して送信されたプロフィールページ１０００を通じて、出品リクエストボタン１０３２がユーザに選択されたことによって、当該ユーザ端末４−ｋから送信された出品要望リクエスト（出品要望情報の一例）を受信するようになっている。
【００９８】
また、出品要望通知送信手段としてのシステム制御部２０は、出品要望リクエストを受信した場合に、出品を要望された商品を所有しているユーザに対して、その商品の出品が要望されたことを通知するための情報（出品要望通知情報の一例）を、当該ユーザのユーザ端末４−ｋに送信するようになっている。
【００９９】
具体的に、システム制御部２０は、該当するお気に入り所有商品情報の出品要望関連情報に設定されている出品要望人数を更新した上で、この出品要望人数が、出品リマインドしきい要望人数に達している場合には、お気に入り所有商品情報が対応するユーザの会員情報からユーザの電子メールアドレスを特定し、当該電子メール宛に出品リマインドメールを送信するようになっており、出品リマインドメールは、メールサーバ等によりユーザ端末４−ｋに転送されるようになっている。
【０１００】
このとき、システム制御部２０は、オークションデータベース１０２に登録されている被落札情報のうち、お気に入り所有商品情報に設定されているカタログＩＤと同一のカタログＩＤ設定されている被落札情報から落札価格を取得し、この落札価格に基づいて、出品が要望された商品の落札相場を算出するようになっている。そして、システム制御部２０は、この落札相場を出品リマインドメールの本文に設定するようになっている。
【０１０１】
また、システム制御部２０は、該当するお気に入り所有商品情報の出品リマインド状態を、リマインド未実施からリマインド実施中に変更するようになっている。また、システム制御部２０は、マイオークションページ２００の持っているものリスト表示エリア１１００を生成する際に、出品リマインド状態がリマインド実施中に設定されているお気に入り所有商品情報については、出品の要望があった旨のメッセージ及び当該要望された商品を出品するための出品ボタン１１３６をリスト表示エリア１１００の欲しいもの表示エリア１１２０に表示させるようになっている。
【０１０２】
また、出品要求受信手段としてのシステム制御部２０は、出品ボタン１１３６がユーザに選択されたことによってユーザ端末４−ｋから送信されたリマインド出品リクエスト（出品要求情報の一例）を受信するようになっている。
【０１０３】
また、出品商品情報登録手段としてのシステム制御部２０は、リマインド出品リクエストを受信すると、図１６を用いて後述する出品情報入力ページ４００を生成し、当該ページをユーザ端末４−ｋに送信し、更に、当該ユーザ端末４−ｋから入力出品情報を受信して、出品情報登録するようになっている。
【０１０４】
具体的に、システム制御部２０は、リマインド出品リクエストに設定されている出品対象の商品のお気に入り商品ＩＤが対応するお気に入り所有商品情報を特定し、当該お気に入り所有商品情報に、ユーザが所有しているお気に入りの商品のカタログＩＤが設定されていた場合には、当該カタログＩＤが対応するカタログ情報が、後述する説明文入力エリア４６１に予め入力された状態になるように出品情報入力ページ４００を生成するようになっている。
【０１０５】
また、システム制御部２０は、送信された出品情報入力ページ４００の説明文入力エリア４６１に対して、ユーザが出品対象の説明文を入力または編集すること等によって、ユーザ端末４−ｋから送信されてきた入力出品情報を受信するようになっている。
【０１０６】
また、システム制御部２０は、受信された入力出品情報に基づいて、出品情報をオークションデータベース１０２に登録するようになっている。
【０１０７】
また、システム制御部２０は、図１７を用いて後述する出品商品詳細ページ５００（出品商品画面情報の一例）を生成するようになっている。具体的に、システム制御部２０は、オークションデータベース１０２に登録された出品情報に含まれる各種情報（商品説明文を含む）を表示するように出品商品詳細ページ５００を生成するようになっている。
【０１０８】
また、出品商品画面情報送信手段としてのシステム制御部２０は、ユーザ端末４−ｋからのリクエストに応じて、生成された出品商品詳細ページ５００を当該ユーザ端末４−ｋに送信するようになっている。
【０１０９】
また、欲しい商品登録要求受信手段としてのシステム制御部２０は、予めユーザ端末４−ｋからのリクエストに応じて当該ユーザ端末４−ｋに送信した、図１２を用いて後述する欲しいものリスト登録ページ７００を通じ、ユーザにより必要な情報が入力等されたことによって、当該ユーザ端末４−ｋから送信された入力欲しい商品情報（欲しい商品登録要求情報の一例）を受信するようになっている。
【０１１０】
また、欲しい商品情報登録手段としてのシステム制御部２０は、受信された入力欲しい商品情報に基づいて、欲しい商品情報をオークションデータベース１０２に登録するようになっている。このとき、システム制御部２０は、入力欲しい商品情報に設定されているカタログＩＤを含めて、欲しい商品情報を登録するようになっている。
【０１１１】
また、出品通知情報送信手段としてのシステム制御部２０は、出品情報が登録された場合に、出品された商品を欲しいものリストに登録しているユーザに対して、その商品が出品されたことを通知するための情報（出品通知情報の一例）を、当該ユーザのユーザ端末４−ｋに送信するようになっている。
【０１１２】
具体的に、システム制御部２０は、所定の期間（例えば、処理を行う日の前日）に登録された出品情報に設定されているカタログＩＤが、欲しい商品情報に設定されている欲しい商品のカタログＩＤと一致する場合には、オークションデータベース１０２に登録されている被落札情報のうち、当該カタログＩＤが設定されている被落札情報から落札価格を取得し、この落札価格に基づいて、欲しい商品の落札相場を算出するようになっている。また、システム制御部２０は、欲しい商品情報が対応するユーザの会員情報からユーザの電子メールアドレスを特定し、当該電子メール宛に出品通知メール（落札相場の記載を含む）を送信するようになっており、送信された出品通知メールは、メールサーバ等によりユーザ端末４−ｋに転送されるようになっている。
【０１１３】
また、システム制御部２０は、その欲しい商品情報の欲しい商品オークション情報中に、登録された出品情報のオークションＩＤを追加設定するようになっている。また、システム制御部２０は、図１８を用いて後述する欲しいものリスト表示エリア８００を生成する際に、欲しい商品オークション情報中にオークションＩＤが設定されている欲しい商品情報については、欲しい商品が出品されていることをオークション情報表示エリア８２４に表示させるようになっている。このとき、システム制御部２０は、上記と同様にして、欲しい商品の落札相場を算出し、この落札相場を商品名表示エリア８２１に表示させるようになっている。
【０１１４】
なお、ショッピングサーバ１−１とオークションサーバ１−２とＳＮＳ・ブログサーバ１−３とを、一つのサーバ装置に統合しても良い。また、ショッピングサーバ１−１とオークションサーバ１−２とＳＮＳ・ブログサーバ１−３とを、夫々、例えば、データベースを管理するサーバ、各種情報を提供するＷＷＷサーバ等の複数のサーバ装置により構成しても良い。
【０１１５】
［３．商品取引システムの動作］
次に、商品取引システムＳの動作について説明する。
【０１１６】
［３．１  持っている商品の登録、当該商品の出品の要望、要望された商品の出品及び入札時の処理］
先ず、ユーザが自分の持っている商品を持っているものリストに登録し、他のユーザがその商品の出品を要望したときにその旨を通知して、その商品を及び入札する場合における商品取引システムＳの動作について、図７乃至図１８を用いて説明する。
【０１１７】
図７乃至図９は、本実施形態に係る商品取引システムＳの処理例を示すシーケンス図である。また、図１０は、カタログページ３００の表示例を示す図である。また、図１１は、持っているものリスト登録ページ９００の表示例を示す図である。また、図１２は、欲しいものリスト登録ページ７００の表示例を示す図である。また、図１３は、プロフィールページ１０００の表示例を示す図である。また、図１４は、マイオークションページ２００の表示例を示す図である。また、図１５は、マイオークションページ２００の他の表示例を示す図であり、同図において、図１４と同様の要素については同様の符号を付してある。また、図１６は、出品情報入力ページ４００の表示例を示す図である。また、図１７は、出品商品詳細ページ５００の表示例を示す図である。また、図１８は、マイオークションページ２００の他の表示例を示す図であり、同図において、図１４と同様の要素については同様の符号を付してある。
【０１１８】
なお、以下の説明においては、ある商品を持っているものリストに登録し、その商品を出品するユーザ（以下「持っているもの登録者」と称する）が利用する端末装置をユーザ端末４−１とし、当該商品と仕様が同一の商品を欲しいものリストに登録するユーザ（以下、「欲しいもの登録者」と称する）が利用する端末装置をユーザ端末４−２とし、持っているものリストに登録された商品の出品を要望し、その商品を入札するユーザ（以下、「出品要望者」と称する）をユーザ端末４−３とする。
【０１１９】
先ず、ユーザ端末４−１からのリクエストに応じて、ショッピングサーバ１−１のシステム制御部２０は、図７に示すように、持っているもの登録者が所有する商品のカタログページ３００をユーザ端末４−１に送信する（ステップＳ１）。
【０１２０】
カタログページ３００を受信したユーザ端末４−１は、当該ページを、図１０に示すように画面に表示する。
【０１２１】
カタログページ３００は、ジャンル表示リンク３１０、検索エリア３２０、ジャンル指定エリア３３０、商品概要表示エリア３４０、仕様詳細表示エリア３５０等により構成されている。
【０１２２】
ジャンル表示リンク３１０は、カタログ情報の表示対象である商品が属するジャンルを、階層的に表示するリンクであり、ユーザが、この中の何れかの階層のリンクを選択すると、その階層に対応するジャンルに属するジャンル一覧、または、当該ジャンルに属する商品の一覧を表示するページが画面に表示される。
【０１２３】
検索エリア３２０は、カタログ情報を表示させたい商品を検索するためのキーワードを入力するための入力エリア、検索する商品のジャンルを指定するためのプルダウンメニュー等により構成されている。
【０１２４】
ジャンル指定エリア３３０は、カタログ情報を表示させたい商品を検索するために、その商品のジャンルを指定するためのリンク群等により構成されている。
【０１２５】
商品概要表示エリア３４０には、商品の商品名、発売日、標準価格、仕様の概要、商品の特徴等が表示され、当該エリアは、カタログ情報の商品概要情報と商品仕様情報の一部とに基づいて生成される。
【０１２６】
また、商品概要表示エリア３４０には、欲しいものリスト登録リンク３４１及び持っているものリスト登録リンク３４２が設けられている。ユーザが、欲しいものリスト登録リンク３４１を選択すると、欲しいものリスト登録ページ７００が画面に表示される。また、ユーザが、持っているものリスト登録リンク３４２を選択すると、カタログページに表示されている商品を持っているものリストに登録（お気に入り所有商品情報として登録）するための情報の入力に用いられる持っているものリスト登録ページ９００が画面に表示される。
【０１２７】
仕様詳細表示エリア３５０には、カタログ情報の商品仕様情報に設定されている内容が表示される。
【０１２８】
ここで、持っているもの登録者が、持っているものリスト登録リンク３４２を選択すると（ステップＳ２）、ユーザ端末４−１は、カタログ情報が表示された商品のカタログＩＤを設定した持っているものリスト登録リクエストをオークションサーバ１−２に送信する（ステップＳ３）。
【０１２９】
持っているものリスト登録リクエストを受信したオークションサーバ１−２のシステム制御部２０は、当該リクエストに設定されているカタログＩＤに対応するカタログ情報をショッピングデータベース１０１から取得し、当該カタログ情報に基づいて持っているものリスト登録ページ９００を生成すると、当該ページをユーザ端末４−１に送信する（ステップＳ４）。
【０１３０】
持っているものリスト登録ページ９００を受信したユーザ端末４−１は、当該ページを、図１１に示すように画面に表示する。
【０１３１】
持っているものリスト登録ページ９００は、ユーザが所有しているお気に入りの商品の情報を入力するためのページであり、当該ページは、カタログＩＤ設定エリア９１０、商品名設定エリア９２０、商品画像設定エリア９３０、コメント設定エリア９３０、登録ボタン９４０等により構成されている。
【０１３２】
カタログＩＤ設定エリア９１０は、所有しているお気に入りの商品のカタログＩＤを設定するためのエリアであり、当該エリアは、カタログＩＤ表示エリア９１１、カタログＩＤ選択ボタン９１２等により構成されている。このとき、カタログページ３００から持っているものリスト登録リンク３４２を介して持っているものリスト登録ページ９００が表示された場合には、初期状態で、カタログＩＤ表示エリア９１１には、カタログ情報が表示された商品のカタログＩＤが表示される。また、ユーザがカタログＩＤ選択ボタン９１２を選択することにより、カタログ検索ページまたはカタログ一覧ページが画面に表示される。これにより、ユーザは、現在表示されているカタログＩＤとは異なるカタログＩＤを選択することができるようになっている。
【０１３３】
商品名設定エリア９２０は、お気に入りの商品の商品名を入力、編集するための商品名入力エリア等により構成されており、カタログページ３００から持っているものリスト登録リンク３４２を介して持っているものリスト登録ページ９００が表示された場合には、初期状態で、カタログ情報が表示された商品の商品名が入力された状態となっている。
【０１３４】
コメント設定エリア９４０は、お気に入りの商品についてのコメント等を入力するためのコメント入力エリア等により構成されている。
【０１３５】
ここで、持っているもの登録者が、コメント等を入力して、登録ボタン９５０を選択すると（ステップＳ５）、ユーザ端末４−１は、カタログＩＤ、商品名、選択された画像データ及びコメントを入力所有商品情報としてオークションサーバ１−２に送信する（ステップＳ６）。
【０１３６】
入力所有商品情報を受信したオークションサーバ１−２のシステム制御部２０は、お気に入り所有商品情報を登録する（ステップＳ７）。具体的に、オークションサーバ１−２のシステム制御部２０は、入力所有商品情報に基づいてお気に入り所有商品情報を生成するとともに、セッション管理等により持っているもの登録者の会員ＩＤを特定し、生成されたお気に入り商品情報を当該会員ＩＤに対応付けてオークションデータベース１０２に登録する。
【０１３７】
一方、ユーザ端末４−２からのリクエストに応じて、ショッピングサーバ１−１のシステム制御部２０は、欲しいもの登録者が希望する商品のカタログページ３００をユーザ端末４−２に送信し（ステップＳ８）、ユーザ端末４−１は、当該ページを画面に表示する。
【０１３８】
ここで、欲しいもの登録者が、欲しいものリスト登録リンク３４１を選択すると（ステップＳ９）、ユーザ端末４−２は、カタログ情報が表示された商品のカタログＩＤを設定した欲しいもの登録リクエストをオークションサーバ１−２に送信する（ステップＳ１０）。
【０１３９】
欲しいもの登録リクエストを受信したオークションサーバ１−２のシステム制御部２０は、当該リクエストに設定されているカタログＩＤに対応するカタログ情報をショッピングデータベース１０１から取得し、当該カタログ情報に基づいて欲しいものリスト登録ページ７００を生成すると、当該ページをユーザ端末４−２に送信する（ステップＳ１１）。
【０１４０】
欲しいものリスト登録ページ７００を受信したユーザ端末４−２は、当該ページを、図１２に示すように画面に表示する。
【０１４１】
欲しいものリスト登録ページ７００は、ユーザが欲しい商品の情報を入力するためのページであり、当該ページは、カタログＩＤ設定エリア７１０、商品名設定エリア７２０、コメント設定エリア７３０、登録ボタン７４０等により構成されている。
【０１４２】
カタログＩＤ設定エリア７１０は、欲しい商品のカタログＩＤを設定するためのエリアであり、当該エリアは、カタログＩＤ表示エリア７１１、カタログＩＤ選択ボタン７１２等により構成されている。このとき、カタログページ３００から欲しいものリスト登録リンク３４１を介して欲しいものリスト登録ページ７００が表示された場合には、初期状態で、カタログＩＤ表示エリア７１１には、カタログ情報が表示された商品のカタログＩＤが表示される。また、ユーザがカタログＩＤ選択ボタン７３２を選択することにより、カタログ検索ページまたはカタログ一覧ページが画面に表示される。これにより、ユーザは、現在表示されているカタログＩＤとは異なるカタログＩＤを選択することができるようになっている。
【０１４３】
商品名設定エリア７２０は、欲しい商品の商品名を入力、編集するための商品名入力エリア等により構成されており、カタログページ３００から欲しいものリスト登録リンク３４１を介して欲しいものリスト登録ページ７００が表示された場合には、初期状態で、カタログ情報が表示された商品の商品名が入力された状態となっている。
【０１４４】
コメント設定エリア７３０は、欲しい商品についてのコメント等を入力するためのコメント入力エリア等により構成されている。
【０１４５】
ここで、欲しいもの登録者が、コメント等を入力して、登録ボタン７４０を選択すると（ステップＳ１２）、ユーザ端末４−２は、カタログＩＤ、商品名及びコメントを入力欲しい商品情報としてオークションサーバ１−２に送信する（ステップＳ１３）。
【０１４６】
入力欲しい商品情報を受信したオークションサーバ１−２のシステム制御部２０は、欲しい商品情報を登録する（ステップＳ１４）。具体的に、オークションサーバ１−２のシステム制御部２０は、入力欲しい商品情報に基づいて欲しい商品情報を生成するとともに、セッション管理等により欲しいもの登録者の会員ＩＤを特定し、生成された欲しい商品情報を当該会員ＩＤに対応付けてオークションデータベース１０２に登録する。
【０１４７】
他方、ユーザ端末４−３がＳＮＳ・ブログサーバ１−３にアクセスすることによって、出品要求者が、持っているもの登録者の所属しているコミュニティやブログ等を介して、持っているもの登録者のプロフィールページを閲覧している。このとき、出品要求者が、持っているものリストの閲覧を選択すると、ユーザ端末４−３は、持っているものリストリクエストをＳＮＳ・ブログサーバ１−３に送信する（ステップＳ１５）。
【０１４８】
持っているものリストリクエストを受信したＳＮＳ・ブログサーバ１−３のシステム制御部２０は、持っているもの登録者の会員ＩＤを特定し、この会員ＩＤを設定したお気に入り所有商品リクエストをオークションサーバ１−２に送信する（ステップＳ１６）。
【０１４９】
お気に入り所有商品リクエストを受信したオークションサーバ１−２のシステム制御部２０は、当該リクエストに設定されている会員ＩＤから、持っているもの登録者のお気に入り所有商品情報をオークションデータベース１０２から取得し、この情報をＳＮＳ・ブログサーバ１−３に送信する（ステップＳ１７）。
【０１５０】
お気に入り所有商品情報を受信したＳＮＳ・ブログサーバ１−３のシステム制御部２０は、受信した情報に基づいてプロフィールページ１０００を生成し、当該ページをユーザ端末４−３に送信する（ステップＳ１８）。
【０１５１】
プロフィールページ１０００を受信したユーザ端末４−３は、当該ページを、図１３に示すように画面に表示する。
【０１５２】
プロフィールページ１０００は、プロフィールを表示するとともに、ユーザの持っているものリストを表示するＷｅｂページであり、当該ページは、メニューエリア１０１０、持っているものリスト表示エリア１０２０等により構成されている。
【０１５３】
メニューエリア１０１０は、各プロフィールページで共通に表示されるエリアであり、当該エリアには、プロフィールが表示されているユーザのニックネーム、画像、メッセージ等が表示されるとともに、各種メニューが表示される。
【０１５４】
持っているものリスト表示エリア１０２０は、一つ以上の持っているもの情報表示エリア１０３０（お気に入り所有商品情報が登録されている場合）等により構成されている。
【０１５５】
持っているもの情報表示エリア１０３０は、商品名表示エリア１０３１、カタログＩＤ表示エリア１０３２、画像表示エリア１０３３、コメント表示エリア１０３４等により構成されている。
【０１５６】
商品名表示エリア１０３１には、お気に入り所有商品情報に設定されている商品名が表示される。このとき、お気に入りの商品のカタログＩＤがお気に入り所有商品情報に設定されているときには、商品名が、そのお気に入りの商品のカタログページ３００へのリンクになっている。
【０１５７】
また、お気に入りの商品に対して未だ出品リマインドが行われていない場合、すなわち、お気に入り所有商品情報の出品リマインド状態がリマインド未実施またはリマインド実施中に設定されている場合には、商品名表示エリア１０３１には、出品リクエストボタン１０３５が表示される。
【０１５８】
また、お気に入りの商品がオークションサイトで出品されている場合、すなわち、お気に入り所有商品情報の出品リマインド状態がリマインド終了に設定されている場合には、商品名表示エリア１０３１には、オークション閲覧リンク１０３６が表示される。ユーザがオークション閲覧リンク１０３６を選択すると、そのお気に入りの商品についての出品商品詳細ページ５００が画面に表示される。
【０１５９】
また、カタログＩＤ表示エリア１０３２には、お気に入りの商品のカタログＩＤがお気に入り所有商品情報に設定されているときには、このカタログＩＤが表示される。
【０１６０】
また、画像表示エリア１０３３には、お気に入り所有商品情報に設定されている画像ＵＲＬが示すお気に入りの商品等の画像が表示される。また、コメント表示エリア１０３４には、お気に入り所有商品情報に設定されているコメントが表示される。
【０１６１】
ここで、出品要求者が出品リクエストボタン１０３５を選択すると（ステップＳ１９）、ユーザ端末４−３は、持っているもの登録者の会員ＩＤ及び選択されたボタンに対応する商品のお気に入り商品ＩＤを設定した出品要望リクエストをオークションサーバ１−２に送信する（ステップＳ２０）。
【０１６２】
出品要望リクエストを受信したオークションサーバ１−２のシステム制御部２０は、図８に示すように、出品が要望された商品を、出品要望者の欲しい商品として、欲しい商品情報を登録する（ステップＳ２１）。
【０１６３】
次いで、オークションサーバ１−２のシステム制御部２０は、出品が要望された商品のお気に入り所有商品情報を更新する（ステップＳ２２）。
【０１６４】
次いで、オークションサーバ１−２のシステム制御部２０は、お気に入り所有商品情報が更新された結果、出品リマインドを行うと判定すると、このお気に入り所有商品情報等に基づいて、持っているもの登録者宛の出品リマインドメールを送信する（ステップＳ２３）。この出品リマインドメールの本文には、該当商品について出品要望者等から出品が要望されている旨及び当該商品を出品するよう勧める旨のメッセージ、当該商品のオークションサイトにおける落札相場、マイオークションページ２００のＵＲＬ等が記載されている。
【０１６５】
なお、ステップＳ２１〜Ｓ２３の処理の詳細については、後述する。
【０１６６】
出品リマインドメールを受信したユーザ端末４−１は、持っているもの登録者の操作に基づいて、当該メールを画面に表示する。出品リマインドメールの内容を読んだ持っているもの登録者は、出品要求者から要望された商品の出品を行うために、先ず、マイオークションページ２００を画面に表示するように、ユーザ端末４−１を操作する。そうすると、ユーザ端末４−１は、マイオークションページリクエストをオークションサーバ１−２に送信する（ステップＳ２４）。
【０１６７】
マイオークションページリクエストを受信したオークションサーバ１−２は、セッション管理等により持っているもの登録者の会員ＩＤを特定し、オークションデータベース１０２に登録されている持っているもの登録者用のマイオークションページ２００をユーザ端末４−１に送信する（ステップＳ２５）。
【０１６８】
マイオークションページ２００を受信したユーザ端末４−１は、当該ページを、図１４に示すように画面に表示する。
【０１６９】
マイオークションページ２００は、会員のオークションに関する情報を閲覧、管理等するためのＷｅｂページであり、当該ページは、評価表示エリア２１０、買うメニューエリア２２０、売るメニューエリア２３０、その他メニューエリア２４０、お知らせ表示エリア２５０、キャンペーン等表示エリア２６０等により構成されている。
【０１７０】
買うメニューエリア２２０は、オークションサイトで商品を入札するための各種メニューを表示するエリアであり、当該エリアは、ウォッチリストメニュー２２１、入札商品メニュー２２２及び落札商品メニュー２２３等により構成されている。
【０１７１】
ユーザがウォッチリストメニュー２２１を選択すると、入札するかもしれない商品のオークションとして、ユーザによって予め登録されたオークションの一覧が、お知らせ表示エリア２５０及びキャンペーン等表示エリア２６０に代わって画面に表示される。また、ユーザが入札商品メニュー２２２を選択すると、ユーザが入札中の商品のオークションの一覧が、お知らせ表示エリア２５０及びキャンペーン等表示エリア２６０に代わって画面に表示される。また、ユーザが落札商品メニュー２２３を選択すると、ユーザが落札した商品のオークションの一覧が、お知らせ表示エリア２５０及びキャンペーン等表示エリア２６０に代わって画面に表示される。
【０１７２】
売るメニューエリア２３０は、オークションサイトで商品を出品するための各種メニューを表示するエリアであり、当該エリアは、出品メニュー２３１、出品商品メニュー２３２、被落札商品メニュー２３３等により構成されている。
【０１７３】
ユーザが出品メニュー２３１を選択すると、出品する商品に関する情報を入力するための出品情報入力ページが画面に表示される。また、ユーザが出品商品メニュー２３２を選択すると、ユーザが出品中の商品のオークションの一覧が、お知らせ表示エリア２５０及びキャンペーン等表示エリア２６０に代わって画面に表示される。また、ユーザが被落札商品メニュー２３３を選択すると、ユーザが出品した商品のオークションのうち、他のユーザによって落札されたオークションの一覧が、お知らせ表示エリア２５０及びキャンペーン等表示エリア２６０に代わって画面に表示される。
【０１７４】
その他メニューエリア２４０は、オークションサイトで、出品や入札以外の各種メニューを表示するエリアであり、当該エリアは、購入履歴メニュー２４１、欲しいものリストメニュー２４２、持っているものリストメニュー２４３等により構成されている。
【０１７５】
ユーザが購入履歴メニュー２４１を選択すると、ショッピングサイトにおけるユーザの商品購入の履歴の一覧を表示する購入履歴一覧ページが画面に表示される。また、欲しいものリストメニュー２４２を選択すると、後述する欲しいものリスト表示エリア８００が、お知らせ表示エリア２５０及びキャンペーン等表示エリア２６０に代わって画面に表示される。また、ユーザが持っているものリストメニュー２４３を選択すると、後述する持っているものリスト表示エリア１１００が、お知らせ表示エリア２５０及びキャンペーン等表示エリア２６０に代わって画面に表示される。
【０１７６】
ここで、持っているもの登録者が、持っているものリストメニュー２４３を選択すると、ユーザ端末４−３は、持っているものリストリクエストをオークションサーバ１−２に送信する（ステップＳ２６）。
【０１７７】
持っているのリストリクエストを受信したオークションサーバ１−２のシステム制御部２０は、オークションデータベース１０２に登録されている持っているもの登録者のお気に入り所有商品情報に基づいて、持っているもの登録者が所有しているお気に入りの商品の落札価格を算出する（ステップＳ２７）。
【０１７８】
具体的に、オークションサーバ１−２のシステム制御部２０は、お気に入り所有商品情報にカタログＩＤが設定されている場合には、オークションデータベース１０２に登録されている全被落札情報（あるいは、所定の期間に落札された商品の被落札情報）のうち、当該カタログＩＤが設定されている被落札情報に設定されている落札価格の平均値を落札相場とする。また、システム制御部２０は、特定されたお気に入り所有商品情報にカタログＩＤが設定されていない場合には、オークションデータベース１０２に登録されている全被落札情報（あるいは、所定の期間に落札された商品の被落札情報）のうち、お気に入り所有商品情報に設定されてい商品名と商品名が一致（全一致でも部分一致でも良い）する被落札情報に設定されている落札価格の平均値を落札相場とする。なお、落札相場の算出方法は、他の方法を用いても良い。
【０１７９】
次いで、オークションサーバ１−２のシステム制御部２０は、お気に入り所有商品情報及び算出された落札情報等に基づいて、持っているものリストを表示させるためのマイオークションページ２００を生成し、当該ページをユーザ端末４−１に送信する（ステップＳ２８）。
【０１８０】
マイオークションページ２００を受信したユーザ端末４−１は、当該ページを、図１５に示すように画面に表示する。ここで、図１４に示すマイオークションページ２００と異なる点は、お知らせ表示エリア２５０及びキャンペーン等表示エリア２６０に代わって、持っているものリスト表示エリア１１００が表示される点である。
【０１８１】
持っているものリスト表示エリア１１００は、出品要望人数設定エリア１１１０、新規登録リンク１１２０、一つ以上の持っているもの情報表示エリア１１３０（お気に入り所有商品情報が登録されている場合）等により構成されている。
【０１８２】
出品要望人数設定エリア１１１０は、出品リマインドを行うために要する出品要望人数を選択するための人数選択プルダウンメニュー１１１１、変更ボタン１１１２等により構成されている。ユーザが、人数選択プルダウンメニュー１１１１により出品要望人数を選択し、変更ボタン１１１を選択すると、ユーザ端末４−３は、選択された出品要望人数をオークションサーバ１−２に送信し、オークションサーバ１−２のシステム制御部２０は、対応する出品リマインドしきい要望人数に設定されている人数を、受信した出品要望人数に変更する。
【０１８３】
また、ユーザが、新規登録リンク１１２０を選択すると、持っているものリスト登録ページ９００が画面に表示される。
【０１８４】
持っているもの情報表示エリア１１３０は、商品名表示エリア１１３１、カタログＩＤ表示エリア１１３２、画像表示エリア１１３３、コメント表示エリア１１３４等により構成されている。
【０１８５】
商品名表示エリア１１３１には、お気に入り所有商品情報に設定されている商品名等が表示される。このとき、お気に入りの商品のカタログＩＤがお気に入り所有商品情報に設定されているときには、商品名が、そのお気に入りの商品のカタログページ３００へのリンクになっている。
【０１８６】
また、カタログＩＤ表示エリア１１３２には、お気に入りの商品のカタログＩＤがお気に入り所有商品情報に設定されているときには、このカタログＩＤが表示される。
【０１８７】
また、画像表示エリア１１３３には、お気に入り所有商品情報に設定されている画像ＵＲＬが示すお気に入りの商品等の画像が表示される。また、コメント表示エリア１１３４には、お気に入り所有商品情報に設定されているコメントが表示される。
【０１８８】
また、お気に入り所有商品情報の出品リマインド状態にリマインド実施中が設定されている場合には、持っているもの情報エリア１１３０には、出品関連情報表示エリア１１３５が設けられるようになっている。この出品関連情報表示エリア１１３５には、ユーザが所有するお気に入りの商品に対して出品の要望があった旨のメッセージ及び当該商品のオークションサイトにおける落札相場等が表示されるとともに、出品ボタン１１３６が表示される。
【０１８９】
ここで、持っているもの登録者が出品ボタン１１３６を選択すると（ステップＳ２９）、ユーザ端末４−３は、選択されたボタンに対応する商品のお気に入り商品ＩＤを設定したリマインド出品リクエストをオークションサーバ１−２に送信する（ステップＳ３０）。
【０１９０】
リマインド出品リクエストを受信したオークションサーバ１−２のシステム制御部２０は、当該リクエストに設定されているお気に入り商品ＩＤに対応するお気に入り所有商品情報を特定し、このお気に入り所有商品情報に設定されているカタログＩＤを設定したカタログ情報リクエストをショッピングサーバ１−１に送信する（ステップＳ３１）。
【０１９１】
カタログ情報リクエストを受信したショッピングサーバ１−１のシステム制御部２０は、当該リクエストに設定されているカタログＩＤに対応するカタログ情報をショッピングデータベース１０１から取得し、このカタログ情報をオークションサーバ１−２に送信する（ステップＳ３２）。
【０１９２】
なお、お気に入り所有商品情報にカタログＩＤが設定されていない場合には、ステップＳ３１〜Ｓ３２の処理は行われない。
【０１９３】
カタログ情報を受信したオークションサーバ１−２のシステム制御部２０は、受信された情報に基づいて、出品情報入力ページ４００を生成し、当該ページをユーザ端末４−１に送信する（ステップＳ３３）。なお、ステップＳ３０においてリマインド出品リクエストを受信した後、ステップＳ３３までにおけるオークションサーバ１−２のシステム制御部２０の処理の詳細については、後述する。
【０１９４】
出品情報入力ページ４００を受信したユーザ端末４−１は、図１６に示すように、当該ページを画面に表示する。
【０１９５】
出品情報入力ページ４００は、出品する商品に関する情報を入力するためのＷｅｂページである。なお、以下の説明においては、表示するマイオークションページ２００の持っているものリスト表示エリア１１００を介して出品した場合における出品情報入力ページ４００について説明し、それ以外の通常の出品の場合については、必要に応じて補足する。
【０１９６】
出品情報入力ページ４００は、商品情報入力エリア４１０、オークション情報入力エリア４７０、入力情報確認ボタン４８０等により構成されている。
【０１９７】
商品情報入力エリア４１０は、ジャンル設定エリア４２０、カタログＩＤ設定エリア４３０、商品名設定エリア４４０、商品状態設定エリア４５０、商品説明文設定エリア４６０等により構成されている。
【０１９８】
ジャンル設定エリア４２０は、出品する商品が属するジャンルを設定するためのエリアであり、当該エリアは、ジャンル名表示エリア４２１、ジャンル選択ボタン４２２等により構成されている。
【０１９９】
ジャンル名表示エリア４２１には、特定されたお気に入り所有商品情報にカタログＩＤが設定されている場合には、初期状態で、当該カタログＩＤに対応するカタログ情報に設定されているジャンル情報が示すジャンルが表示される（表示しきれない場合は、その一部が表示される）。また、特定されたお気に入り所有商品情報にカタログＩＤが設定されていない場合には、ジャンルは表示されず、ジャンルの未選択状態となっている。この場合には、ユーザがジャンル選択ボタン４２２を選択することにより、ジャンル選択ページが画面に表示される。これにより、ユーザは、出品する商品が属するジャンルを選択することができるようになっている。
【０２００】
また、カタログ情報に複数のジャンル情報が設定されている場合には、ユーザがジャンル選択ボタン４２２を選択することにより、当該ユーザは、複数のジャンルから、出品する商品にふさわしいと思われるジャンルを選択することができるようになっている。
【０２０１】
なお、通常の出品の場合には、初期状態のジャンル名表示エリア４２１には、ジャンルは表示されず、ジャンルの未選択状態となっている。
【０２０２】
カタログＩＤ設定エリア４３０は、出品する商品のカタログＩＤを設定するためのエリアであり、当該エリアは、カタログＩＤ表示エリア４３１、カタログＩＤ選択ボタン４３２等により構成されている。
【０２０３】
カタログＩＤ表示エリア４３１には、特定されたお気に入り所有商品情報にカタログＩＤが設定されている場合には、初期状態で、当該カタログＩＤが表示される。また、お気に入り所有商品情報にカタログＩＤが設定されていない場合には、初期状態のジャンル名表示エリア４２１には、カタログＩＤは表示されず、カタログＩＤの未選択状態となっている。この場合には、ユーザがカタログＩＤ選択ボタン４３２を選択することにより、カタログ検索ページまたはカタログ一覧ページが画面に表示される。これにより、ユーザは、出品する商品のカタログＩＤを選択することができるようになっている。ただし、お気に入り所有商品情報にカタログＩＤが設定されている場合には、カタログＩＤは確定しているため、カタログＩＤ選択ボタン４３２は選択できないようになっている。
【０２０４】
なお、通常の出品の場合にも、初期状態のジャンル名表示エリア４２１には、カタログＩＤは表示されず、この場合には、ユーザがカタログＩＤ選択ボタン４３２を選択することにより、ユーザは、出品する商品のカタログＩＤを選択することができるようになっている。
【０２０５】
商品名設定エリア４４０は、商品名入力エリア４４１等により構成されている。
【０２０６】
商品名入力エリア４４１は、出品する商品の商品名を入力、編集するためのエリアであり、初期状態では、特定されたお気に入り所有商品情報に設定されている商品名が入力された状態となっている。ユーザは、商品名入力エリア４４１に対して、商品名を入力したり、編集したりすることができる。
【０２０７】
なお、通常の出品の場合には、初期状態の商品名入力エリア４４１には、商品名は入力されておらず、この場合は、ユーザが、商品名を一から入力することとなる。
【０２０８】
商品状態設定エリア４５０は、出品する商品が、新品であるか、または、中古であるかを選択するためのラジオボタン等により構成されている。
【０２０９】
商品説明文設定エリア４６０は、出品する商品の説明文を設定するためのエリアであり、当該エリアは、説明文入力エリア４６１等により構成されている。
【０２１０】
説明文入力エリア４６１は、出品する商品の説明文を入力、編集するためのエリアであり、特定されたお気に入り所有商品情報にカタログＩＤが設定されている場合には、初期状態で、カタログ情報の商品概要情報及び商品仕様情報が入力された状態となる。一方、特定されたお気に入り所有商品情報にカタログＩＤが設定されていない場合には、説明文入力エリア４６１には何も入力されておらず、この場合は、ユーザが、商品の説明文を一から入力することとなる。
【０２１１】
なお、通常の出品の場合にも、説明文入力エリア４６１には何も入力されていない状態となっている。
【０２１２】
オークション情報設定エリア４７０は、開始価格設定エリア４７１、即落価格設定エリア４７２、出品個数設定エリア４７３、最大入札個数設定エリア４７２、開始時間設定エリア４７５、終了時間設定エリア４７６、自動再出品回数設定エリア４７７等により構成されている。
【０２１３】
これらのエリアには、出品する商品の開始価格、即落価格、出品個数、一人当たりの最大入札個数、オークションの開始時間、終了時間、落札されなかった場合に自動的に再出品する回数を設定するための入力エリアやプルダウンメニュー等が設けられている。ここで、開始価格設定エリア４７１には、出品する商品と同一商品の、オークションサイトでの落札相場が表示される。
【０２１４】
入力情報確認ボタン４８０は、ユーザが入力した内容を確認するためのボタンである。
【０２１５】
ここで、持っているもの登録者が、必要な項目を入力、選択等し（ステップＳ３４）、入力情報確認ボタン４８０を選択すると、入力した内容を確認するための確認ページが画面に表示される。そして、持っているもの登録者が、入力した内容を確認し、出品する商品等の画像を選択すると、ユーザ端末４−１は、入力された情報を、入力出品情報としてオークションサーバ１−２に送信する（ステップＳ３５）。
【０２１６】
入力出品情報を受信したオークションサーバ１−２のシステム制御部２０は、出品処理を実行する（ステップＳ３６）。
【０２１７】
具体的に、オークションサーバ１−２のシステム制御部２０は、新たにオークションＩＤを割り当て、受信された入力出品情報等からなる出品情報を生成し、当該出品情報を、持っているもの登録者の会員ＩＤに対応付けて、オークションデータベース１０２に登録する。
【０２１８】
また、オークションサーバ１−２のシステム制御部２０は、生成された出品情報に基づいて出品商品詳細ページ５００を生成し、当該ページをオークションデータベース１０２に登録する。
【０２１９】
その後、オークションサーバ１−２のシステム制御部２０は、図９に示すように、登録された出品者の出品情報に設定されているカタログＩＤが、事前に登録された欲しいもの登録者及び出品要望者の欲しい商品情報に設定されているカタログＩＤと一致していると判断すると（ステップＳ３７）、出品情報及び欲しい商品情報等に基づいて、欲しいもの登録者及び出品要望者宛の出品通知メールを送信する（ステップＳ３８、Ｓ３９）。この出品通知メールの本文には、欲しい商品が出品されたこと、当該商品のオークションに関する情報の抜粋、当該商品の入札を勧める旨のメッセージ、当該商品のオークションサイトにおける落札相場、当該商品の出品商品詳細ページ５００のＵＲＬ等が記載されている。なお、出品通知メールを送信する処理等の詳細については、後述する。
【０２２０】
出品通知メールを受信したユーザ端末４−３は、出品要望者の操作に基づいて、当該メールを画面に表示する。出品通知メールの内容を読んだ出品要望者が、当該メールに記載されているＵＲＬを選択すると（ステップＳ４０）、ユーザ端末４−３は、当該ＵＲＬを設定した商品詳細リクエストをオークションサーバ１−２に送信する（ステップＳ４１）。
【０２２１】
商品詳細リクエストを受信したオークションサーバ１−２のシステム制御部２０は、当該リクエストに設定されているＵＲＬに対応する出品商品詳細ページ５００をオークションデータベース１０２から取得し、当該ページをユーザ端末４−２に送信する（ステップＳ４２）。
【０２２２】
出品商品詳細ページ５００を受信したユーザ端末４−３は、図１７に示すように、当該ページを画面に表示する。
【０２２３】
出品商品詳細ページ５００は、ユーザが、出品された商品を入札するか否か等を判断するために閲覧するＷｅｂページであり、当該ページは、商品名表示５１０、出品者情報表示エリア５２０、オークション情報表示エリア５３０、入札エリア５５０、画像表示エリア５６０、商品説明文表示エリア５７０、カタログ参照ボタン５８０、入札履歴表示エリア５９０等により構成されている。
【０２２４】
商品名表示５１０には、出品された商品の商品名が表示される。また、出品者情報表示エリア５２０には、出品者に関する情報（ニックネーム、取引方法、支払い方法等）が表示される。また、オークション情報表示エリア５３０には、出品された商品のオークションに関する情報（現在価格、残り時間、出品個数、入札件数、開始価格、開始時間、終了時間等）が表示される。
【０２２５】
また、入札エリア５５０には、出品された商品の入札を行うための入札ボタンが設けられている。また、画像表示エリア５６０には、出品された商品等の画像が表示される。また、商品説明文表示エリア５７０には、出品された商品の説明文が表示される。
【０２２６】
また、カタログ参照ボタン５８０をユーザが選択すると、出品された商品のカタログ情報を表示するカタログページ３００が画面に表示される。また、入札履歴表示エリア５９０には、これまでの入札の履歴が表示される。
【０２２７】
ここで、入札者が入札エリア５５０の入札ボタンを選択して、入札額を入力すると、ユーザ端末４−３は、入札リクエストをオークションサーバ１−２に送信する（ステップＳ４３）。
【０２２８】
入札リクエストを受信したオークションサーバ１−２のシステム制御部２０は、当該リクエストに基づいて入札処理を実行し（ステップＳ４４）、当該処理により、入札情報の登録、出品情報の更新等を行う。
【０２２９】
なお、上記説明においては、欲しいもの登録者が欲しい商品を、カタログページ３００を介して欲しいものリストに登録していたが、カタログページ３００を介さずに登録することも可能である。
【０２３０】
この場合において、ユーザ端末４−２の画面にマイオークションページ２００が表示されている状態で、欲しいもの登録者が、欲しいものリストメニュー２４２を選択するとユーザ端末４−２は、欲しいものリストリクエストをオークションサーバ１−２に送信し、オークションサーバ１−２のシステム制御部２０は、これに応じて、オークションデータベース１０２に登録されている欲しいもの登録者の欲しい商品情報に基づいて、欲しい商品の落札価格を算出する。この算出方法は、図８に示すステップＳ２７における方法と、基本的に同様である。
【０２３１】
次いで、オークションサーバ１−２のシステム制御部２０は、欲しい商品情報及び算出された落札情報等に基づいて、欲しいものリストを表示させるためのマイオークションページ２００を生成し、当該ページをユーザ端末４−１に送信する。
【０２３２】
マイオークションページ２００を受信したユーザ端末４−１は、当該ページを、図１８に示すように画面に表示する。ここで、図１４に示すマイオークションページ２００と異なる点は、お知らせ表示エリア２５０及びキャンペーン等表示エリア２６０に代わって、欲しいものリスト表示エリア８００が表示される点である。
【０２３３】
欲しいものリスト表示エリア８００は、新規登録リンク８１０、一つ以上の欲しいもの情報表示エリア８２０（欲しい商品情報が登録されている場合）等により構成されている。
【０２３４】
ユーザが、新規登録リンク８１０を選択すると、欲しいものリスト登録ページ７００が画面に表示される。
【０２３５】
欲しいもの情報表示エリア８２０は、商品名表示エリア８２１、カタログＩＤ表示エリア８２２、コメント表示エリア８２３、オークション情報表示エリア８２４等により構成されている。
【０２３６】
商品名表示エリア８２１には、欲しい商品情報に設定されている商品名、オークションサイトにおける落札相場等が表示される。このとき、欲しい商品のカタログＩＤが欲しい商品情報に設定されているときには、商品名が、その欲しい商品のカタログページ３００へのリンクになっている。
【０２３７】
また、カタログＩＤ表示エリア８２２には、欲しい商品のカタログＩＤが欲しい商品情報に設定されているときには、このカタログＩＤが表示される。
【０２３８】
また、コメント表示エリア８２３には、欲しい商品情報に設定されているコメントが表示される。
【０２３９】
また、オークション情報表示エリア８２４には、欲しい商品情報の欲しい商品オークション情報に設定されているオークションＩＤが対応するオークションの商品詳細ページ５００へのリンクが表示される。つまり、オークション情報表示エリア８２４には、ユーザの欲しい商品のオークションについての商品詳細ページ５００へのリンクが表示される。ただし、欲しい商品オークション情報にオークションＩＤが設定されていない場合には、ユーザが欲しい商品は出品されていない旨のメッセージが表示される。
【０２４０】
また、欲しい商品情報の同シリーズ新商品情報に、新商品のカタログＩＤが設定されている場合には、欲しいもの情報表示エリア８２０には、同シリーズ新商品表示エリア８２５が設けられるようになっている。この同シリーズ新商品表示エリア８２５は、同シリーズ新商品情報に設定されているカタログＩＤが対応する商品のカタログページ３００へのリンク、当該商品を欲しいものリストへ登録するための欲しいものリスト登録ページ７００へのリンク等により構成されている。
【０２４１】
ここで、欲しいもの登録者が新規登録リンク８１０を選択すると、ユーザ端末４−１は、欲しいものリスト登録リクエストをオークションサーバ１−２に送信し、オークションサーバ１−２のシステム制御部２０は、これに応じて、欲しいものリスト登録ページ７００をユーザ端末４−１に送信する。
【０２４２】
欲しいものリスト登録ページ７００を受信したユーザ端末４−１は、当該ページを画面に表示する。この場合におけるリスト登録ページ７００の初期状態において、カタログＩＤ設定エリアのカタログＩＤ表示エリア４１１には何も表示されず、また、商品名設定エリア４２０の商品名入力エリアには何も入力されていない状態となっている。従って、ユーザは、カタログＩＤを設定し、商品名を入力することとなる。
【０２４３】
なお、このとき、ユーザは、カタログＩＤを設定しなくても良く、この場合には、商品名によるキーワード検索が行われることにより、欲しい商品が出品されたときに、その通知が行われることとなる。ただし、欲しい商品以外の商品が出品されたときに、たまたまキーワード検索でヒットした場合には、出品通知が行われてしまうため、これを防止するためには、カタログＩＤを設定しておくことが望ましい。
【０２４４】
この後は、図７〜図９に示すステップＳ１２〜Ｓ４４と同様の処理が行われることとなる。
【０２４５】
また、購入履歴一覧ページを介して持っているものリストの登録を行うようにしても良い。
【０２４６】
この場合においては、ユーザ端末４−１においてマイオークションページ２００から購入履歴メニュー２４１が選択されることによって、例えば、ショッピングサーバ１−１のシステム制御部２０から購入履歴一覧ページがユーザ端末４−１に送信され、当該ページがユーザ端末４−１の画面に表示される。
【０２４７】
この購入履歴一覧ページには、持っているもの登録者の購入履歴に基づいて生成されており、持っているもの登録者のショッピングサイトでの購入履歴が表示される。つまり、購入履歴一覧ページには、ショッピングサイトでの購入によって、持っているもの登録者が所有しているかもしれない商品についての一覧が表示される。
【０２４８】
そして、持っているもの登録者が、表示されている一覧の中から自分が所有している商品に対応する登録ボタン等を選択すると、ユーザ端末４−１は、選択された商品のカタログＩＤを設定した持っているものリスト登録リクエストをオークションサーバ１−２に送信する（ステップＳ３と同様の処理）。この後は、図７〜図９に示すステップＳ４〜Ｓ４４と同様の処理が行われることとなる。なお、上記と同様に、オークションページ２００から落札商品メニュー２２３が選択されることによって表示される落札商品の一覧から、持っているもの登録者が所有している商品を持っているものリストに登録することができるようにしても良い。
【０２４９】
また、上記説明においては、先に持っているもの登録者が、所有する商品を登録し（ステップＳ１〜Ｓ７）、その後に、欲しいもの登録者が、欲しい商品を登録する場合について説明していたが（ステップＳ９〜Ｓ１４）、その逆に、先に欲しいもの登録者が、欲しい商品を登録し、その後に、持っているもの登録者が、所有する商品を登録する場合についても対応可能である。
【０２５０】
また、上記説明においては、プロフィールページ１０００に表示されている持っているもの登録者の所有商品の一覧の中から、出品要望者が欲しい商品を探して選択するようになっていたが（ステップＳ１９）、出品要望者が欲しい商品を所有するユーザを検索することができるようにしても良い。
【０２５１】
この場合において、ショッピングサーバ１−１のシステム制御部２０は、カタログページ３００を生成する際、当該ページでカタログ情報が表示される商品を所有するユーザを検索するための検索ボタン等を埋め込んだり、カタログ情報を表示させたい商品を、ユーザに指定されたキーワードにより検索可能とし、その検索結果ページに表示される各商品について、所有するユーザを検索するための検索ボタン等を埋め込む。
【０２５２】
ユーザ端末４−３に表示されたカタログページ３００または検索結果ページから、該当する検索ボタン等を出品要望者が選択することにより、ショッピングサーバ１−１のシステム制御部２０は、指定された商品を所有するユーザを検索し、その検索結果ページをユーザ端末４−３に送信する。
【０２５３】
そして、出品要望者は、画面に表示された検索結果ページから、出品を要望するユーザを選択することにより、このユーザに対して出品リクエストをユーザ端末４−３が送信するようにしても良いし、選択されたユーザのプロフィールページ１０００を画面に表示させて、その中から出品を要望する商品を選択させるようにしても良い。
【０２５４】
また、上記説明においては、持っているものリストを表示するマイオークションページ２００（図１５）には、出品のリクエストがあった商品について、その旨等（出品関連情報表示エリア１１３５）が表示されるのみであったが、出品要望者が出品を要望する際に（ステップＳ１９）、持っているもの登録者に対するメッセージの入力を可能とし、出品関連情報表示エリア１１３５にそのメッセージを表示させるようにしても良い。例えば、「ずっと探していた商品なのですごく欲しいです。是非出品してください。」といったメッセージが表示されれば、オークションサイトへの出品の促進に繋げることができる。
【０２５５】
［３．２  出品要望リクエスト受信時処理］
次に、オークションサーバ１−２が、ユーザ端末４−ｋから出品要望リクエストを受信したとき（図７に示すステップＳ２０）に開始される出品要望リクエスト受信時処理について、図１９を用いて説明する。
【０２５６】
図１９は、本実施形態に係るオークションサーバ１−２のシステム制御部２０の出品要望リクエスト受信時処理における処理例を示すフローチャートである。なお、以下の説明において、単に「システム制御部２０」というときは、「オークションサーバ１−２のシステム制御部２０」を意味するものとする。
【０２５７】
ユーザ端末４−ｋから出品要望リクエストを受信したオークションサーバ１−２のシステム制御部２０は、図１９に示すように、当該リクエストに設定されている会員ＩＤ及びお気に入り商品ＩＤに基づいて、出品を要望された商品を所有するユーザの当該商品に関するお気に入り所有商品情報を特定する（ステップＳ８１）。
【０２５８】
次いで、システム制御部２０は、特定されたお気に入り所有商品情報に基づいて、欲しい商品情報を生成する（ステップＳ８２）。具体的に、システム制御部２０は、新たな欲しい商品ＩＤを割り当て、当該ＩＤと、お気に入り所有商品情報に設定されている商品名及びカタログＩＤとを設定した欲しい商品情報を生成する。
【０２５９】
次いで、システム制御部２０は、この欲しい商品情報を、出品を要望したユーザの会員ＩＤに対応付けてオークションデータベース１０２に登録する（ステップＳ８３）。
【０２６０】
次いで、システム制御部２０は、特定されたお気に入り所有商品情報の出品要望関連情報中に、出品を要望したユーザの会員ＩＤを追加設定する（ステップＳ８４）。
【０２６１】
次いで、システム制御部２０は、特定されたお気に入り所有商品情報の出品要望関連情報に設定されている出品要望人数に１加算して、当該出品要望人数を更新する（ステップＳ８５）。
【０２６２】
次いで、システム制御部２０は、特定されたお気に入り所有商品情報の出品リマインド状態に、リマインド終了が設定されているか否かを判定する（ステップＳ８６）。このとき、システム制御部２０は、出品リマインド状態にリマインド終了が設定されている場合には（ステップＳ８６：ＹＥＳ）、出品要望リクエスト受信時処理を終了させる。
【０２６３】
一方、システム制御部２０は、出品リマインド状態にリマインド終了が設定されていない場合には（ステップＳ８６：ＮＯ）、次いで、出品要望人数が、出品を要望された商品を所有するユーザの出品リマインドしきい要望人数以上であるか否かを判定する（ステップＳ８７）。このとき、システム制御部２０は、出品要望人数が出品リマインドしきい要望人数未満である場合には（ステップＳ８７：ＮＯ）、出品要望リクエスト受信時処理を終了させる。
【０２６４】
一方、システム制御部２０は、出品要望人数が出品リマインドしきい要望人数以上である場合には（ステップＳ８７：ＹＥＳ）、特定されたお気に入り所有商品情報が示す商品の、オークションサイトにおける落札相場を算出する（ステップＳ８８）。この算出方法は、図８に示すステップＳ２７における方法と、基本的に同様である。
【０２６５】
次いで、システム制御部２０は、出品リマインドメールを送信する（ステップＳ８９：図８に示すステップＳ２３）。具体的に、システム制御部２０は、特定されたお気に入り所有商品情報に設定されている商品名、該当商品について出品要望者等から出品が要望されている旨及び当該商品を出品するよう勧める旨のメッセージ、落差相場、マイオークションページ２００のＵＲＬ等を出品通知メールの本文に設定する。そして、システム制御部２０は、出品を要望された商品を所有するユーザの会員情報に設定されている電子メールアドレスを、出品リマインドメールの宛先に設定して、当該メールを送信する。
【０２６６】
なお、出品リマインドメールの本文には、出品を要望された商品についての出品情報入力ページ４００のＵＲＬを設定しても良い。これによれば、ユーザ端末４−ｋが出品リマインドメールを受信し、画面に表示した後、ユーザが当該ＵＲＬを選択することにより、マイオークションページ２００を介さずに、直接出品情報入力ページ４００をユーザ端末４−ｋの画面に表示させることができる。
【０２６７】
次いで、システム制御部２０は、特定されたお気に入り所有商品情報の出品リマインド状態にリマインド未実施が設定されている場合には、当該出品リマインド状態をリマインド実施中に設定し（ステップＳ９０）、出品要望リクエスト受信時処理を終了させる。
【０２６８】
なお、上記処理においては、出品リマインド状態がリマインド終了ではない場合に、出品リマインドメールを送信するため、出品リマインドメールを一度送信した後も、対象の商品について出品が行われない間は、出品要望リクエストを受信する都度、出品リマインドメールを送信するようになっている。
【０２６９】
［３．３  リマインド出品リクエスト受信時処理］
次に、オークションサーバ１−２が、ユーザ端末４−ｋからリマインド出品リクエストを受信したとき（図８に示すステップＳ３０）に開始されるリマインド出品リクエスト受信時処理について、図２０を用いて説明する。
【０２７０】
図２０は、本実施形態に係るオークションサーバ１−２のシステム制御部２０のリマインド出品リクエスト受信時処理における処理例を示すフローチャートである。なお、以下の説明において、単に「システム制御部２０」というときは、「オークションサーバ１−２のシステム制御部２０」を意味するものとする。
【０２７１】
ユーザ端末４−ｋからリマインド出品リクエストを受信したオークションサーバ１−２のシステム制御部２０は、図２０に示すように、セッション管理等によりユーザ端末４−ｋのユーザのお気に入り所有商品のうち、リマインド出品リクエストに設定されているお気に入り商品ＩＤが対応するお気に入り所有商品を特定し、当該お気に入り所有商品情報に、お気に入りの商品のカタログＩＤが設定されているか否かを判定する（ステップＳ１０１）。このとき、システム制御部２０は、お気に入り所有商品情報にお気に入りの商品のカタログＩＤが設定されていない場合には（ステップＳ１０１：ＮＯ）、オークションデータベース１０２から、出品情報入力ページ４００のテンプレートを取得して（ステップＳ１０２）、ステップＳ１０９に移行する。
【０２７２】
一方、システム制御部２０は、お気に入り所有商品情報にお気に入りの商品のカタログＩＤが設定されている場合には（ステップＳ１０１：ＹＥＳ）、カタログ情報リクエストをショッピングサーバ１−１に送信するとともに、当該ショッピングサーバ１−１から送信されたカタログ情報を受信する（ステップＳ１０３）。
【０２７３】
次いで、システム制御部２０は、オークションデータベース１０２から、出品情報入力ページ４００のテンプレートを取得する（ステップＳ１０４）。
【０２７４】
次いで、システム制御部２０は、カタログ情報に設定されているジャンル情報を、取得されたテンプレートのジャンル名表示エリア４２１に設定する（ステップＳ１０５）。
【０２７５】
次いで、システム制御部２０は、特定されたお気に入り所有商品情報に設定されているカタログＩＤを、取得されたテンプレートのカタログＩＤ表示エリア４３１に設定する（ステップＳ１０６）。
【０２７６】
次いで、システム制御部２０は、特定されたお気に入り所有商品情報に設定されている商品名を、取得されたテンプレートの商品名入力エリア４４１に設定する（ステップＳ１０７）。
【０２７７】
次いで、システム制御部２０は、カタログ情報に設定されている商品概要情報及び商品仕様情報を、取得されたテンプレートの説明文入力エリア４６１に設定する（ステップＳ１０８）。
【０２７８】
次いで、システム制御部２０は、出品対象の商品のオークションサイトにおける落札相場を算出し、当該落札相場を、テンプレートの開始価格設定エリア４７１に設定する（ステップＳ１０９）。なお、落札相場の基本的な算出方法は、図８に示すステップＳ２７における算出方法と同様である。
【０２７９】
次いで、システム制御部２０は、その他必要な情報をテンプレートに設定して、出品情報入力ページ４００を生成する（ステップＳ１１０）。
【０２８０】
次いで、システム制御部２０は、生成された出品情報入力ページ４００をユーザ端末４−ｋに送信して（ステップＳ１１１）、リコメンド出品リクエスト受信時処理を終了させる。
【０２８１】
［３．４  出品通知制御処理］
次に、出品通知制御処理について、図２１を用いて説明する。
【０２８２】
図２１は、本実施形態に係るオークションサーバ１−２のシステム制御部２０の出品通知制御処理における処理例を示すフローチャートである。なお、以下の説明において、単に「システム制御部２０」というときは、「オークションサーバ１−２のシステム制御部２０」を意味するものとする。
【０２８３】
出品通知制御処理は、オークションサーバ１−２において、定期的（例えば、１日１回、毎月の１回等）に実行される処理である。
【０２８４】
当該処理が開始されると、図２１に示すように、オークションサーバ１−２のシステム制御部２０は、商品取引システムＳを利用可能な全ユーザのうち、一人を特定する（ステップＳ５１）。
【０２８５】
次いで、システム制御部２０は、特定されたユーザの、オークションサーバ１−２に登録されている欲しい商品情報のうち、一つを特定する（ステップＳ５２）。
【０２８６】
次いで、システム制御部２０は、特定された欲しい商品情報に、欲しい商品のカタログＩＤが設定されているか否かを判定する（ステップＳ５３）。
【０２８７】
このとき、システム制御部２０は、特定された欲しい商品情報に欲しい商品のカタログＩＤが設定されている場合には（ステップＳ５３：ＹＥＳ）、所定の期間（例えば、出品通知制御処理が１日１回行われるのであれば、当該処理を行う日の前日の間）に開始されたオークションのうち、特定された欲しい商品情報が示す商品のオークションを、カタログＩＤで検索する（ステップＳ５４）。
【０２８８】
具体的に、システム制御部２０は、オークションサーバ１−２に登録されている出品情報のうち、オークション開始日時が所定の期間内であり、且つ、出品された商品のカタログＩＤが欲しい商品のカタログＩＤと一致する出品情報を検索する。システム制御部２０は、この処理を終えると、ステップＳ５６に移行する。
【０２８９】
一方、システム制御部２０は、特定された欲しい商品情報に欲しい商品のカタログＩＤが設定されていない場合には（ステップＳ５３：ＮＯ）、所定の期間に開始されたオークションのうち、特定された欲しい商品情報が示す商品のオークションを、キーワードで検索する（ステップＳ５５）。
【０２９０】
具体的に、システム制御部２０は、欲しい商品の商品名をキーワードとし、オークションサーバ１−２に登録されている出品情報のうち、オークション開始日時が所定の期間内であり、且つ、出品された商品の商品名または商品説明文に、上記キーワードが含まれている出品情報を検索する。システム制御部２０は、この処理を終えると、ステップＳ５６に移行する。
【０２９１】
次いで、システム制御部２０は、ステップＳ５６において、オークションが一つ以上検索されたか否かを判定する。このとき、システム制御部２０は、オークションが一つも検索されない場合には（ステップＳ５６：ＮＯ）、ステップＳ６０に移行する。
【０２９２】
一方、システム制御部２０は、オークションが一つ以上検索された場合には、特定された欲しい商品情報が示す商品の、オークションサイトにおける落札相場を算出する（ステップＳ５７）。この算出方法は、図８に示すステップＳ２７における方法と、基本的に同様である。
【０２９３】
次いで、システム制御部２０は、出品通知メールを送信する（ステップＳ５８：図９に示すステップＳ３９）。具体的に、システム制御部２０は、特定された欲しい商品情報に設定されている商品名、検索された出品情報の抜粋、当該商品を出品するよう勧める旨のメッセージ、落差相場、検索されたオークションの出品商品詳細ページのＵＲＬ等を出品通知メールの本文に設定する。そして、システム制御部２０は、特定されたユーザの会員情報に設定されている電子メールアドレスを、出品通知メールの宛先に設定して、当該メールを送信する。
【０２９４】
次いで、システム制御部２０は、特定された欲しい商品情報中に、検索された出品情報の商品名とオークションＩＤを欲しい商品オークション情報として追加設定する（ステップＳ５９）。
【０２９５】
次いで、システム制御部２０は、特定されたユーザの欲しい商品情報全てについて、出品通知処理を行ったか否かを判定する（ステップＳ６０）。すなわち、システム制御部２０は、特定されたユーザの欲しい商品情報全てについて、ステップＳ５３〜Ｓ５９のうち、少なくともステップＳ５３の処理を行ったか否かを判定するのである。このとき、システム制御部２０は、出品通知処理を行っていない欲しい商品情報がある場合には（ステップＳ６０：ＮＯ）、特定されたユーザの欲しい商品情報のうち、出品通知処理を行っていない欲しい商品情報の中から次の欲しい商品情報を特定して（ステップＳ６１）、ステップＳ５３に移行する。つまり、システム制御部２０は、特定されたユーザの欲しい商品情報全てについて、出品通知処理を行うのである。
【０２９６】
そして、システム制御部２０は、特定されたユーザの欲しい商品情報全てについて、出品通知処理を行うと（ステップＳ６０：ＹＥＳ）、次いで、全ユーザについて、出品通知処理を行ったか否かを判定する（ステップＳ６２）。このとき、システム制御部２０は、出品通知処理を行っていないユーザがいる場合には（ステップＳ６２：ＮＯ）、出品通知処理を行っていないユーザの中から次のユーザを特定して（ステップＳ６３）、ステップＳ５２に移行する。つまり、システム制御部２０は、商品取引システムＳを利用可能な全ユーザについて、出品通知処理を行うのである。
【０２９７】
そして、システム制御部２０は、全ユーザについて、出品通知処理を行うと（ステップＳ６２：ＹＥＳ）、出品通知制御処理を終了させる。
【０２９８】
なお、上記説明においては、システム制御部２０は、出品通知処理を定期的の行うようにしていたが、例えば、オークションサイトへの出品が行われる度に、出品通知制御処理を行っても良い。この場合において、システム制御部２０は、例えば、オークションデータベース１０２に登録されている全ユーザの全欲しい商品情報のうち、欲しい商品のカタログＩＤが、登録された出品情報に設定されているカタログＩＤと一致する欲しい商品情報を検索し、検索された欲しい商品情報のユーザに対して出品通処理を行うようにすれば良い。
【０２９９】
以上説明したように、本実施形態によれば、ユーザが所有するお気に入りの商品についてのお気に入り所有商品情報を、オークションサイトを利用可能なユーザ毎に対応付けて登録しておくオークションデータベース１０２を備え、オークションサーバ１−２のシステム制御部２０が、お気に入りリストを表示するプロフィールページ１０００を、ユーザ端末４−ｋからのリクエストに応じて送信し、プロフィールページ１０００を受信した前記ユーザ端末４−ｋから、当該プロフィールページ１０００によりプロフィールが表示されるユーザの持っているものリストの中から、出品を要求したユーザにより選択された商品についての出品要望リクエストを受信し、出品が要望された商品のお気に入り所有商品情報を出品要望リクエストに設定されている会員ＩＤ及びお気に入り商品ＩＤで特定するとともに、当該お気に入り所有商品情報が対応するユーザを特定し、当該ユーザ宛に、所有する商品の出品が要望されたことを通知し且つ出品を勧める出品リマインドメールを送信するとともに、お気に入り所有商品情報の出品リマインド状態をリマインド実施中に設定して、持っているものリスト表示エリア１１００を含むマイオークションページ２００を送信する際に、出品が要望された商品について出品ボタン１１３６を持っているものリスト表示エリア１１００に埋め込むようになっている。
【０３００】
従って、こうした通知によって、ユーザは、自己が所有している商品に対する需要が存在することを認識することができるので、その商品に対するユーザの出品意欲を高め、これによって、オークションサイトへの出品を促進することができる。
【０３０１】
また、オークションサーバ１−２のシステム制御部２０が、ユーザ端末４−ｋからリマインド出品リクエストを受信し、出品される商品に関する出品情報をオークションデータベース１０２に登録し、出品情報を表示する出品商品詳細ページ５００を、ユーザ端末４−ｋからのリクエストに応じて送信するようになっている。このとき、オークションサーバ１−２のシステム制御部２０が、リマインド出品リクエストに設定されているお気に入り商品ＩＤに対応するお気に入り所有商品情報のカタログＩＤから、出品対象の商品のカタログ情報をショッピングサーバ１−１から取得し、当該カタログ情報の商品概要情報及び商品仕様情報が示す情報の少なくとも一つを、商品説明文として含む出品情報を登録するようになっている。
【０３０２】
従って、お気に入り所有商品情報に設定されているカタログＩＤにより、ユーザが所有している商品のカタログ情報が特定され、この商品を出品する際に、他のユーザに公開される商品の説明として、予め登録されているカタログ情報を利用することができるので、出品の際における商品の説明を入力する手間を省くことができる。また、出品する商品の商品説明文に、商品の仕様という客観的な情報を利用することができる。更に、ユーザが持っている商品のオークションに関する情報は、出品する際に入力等すれば良いので、持っているものリストの登録の際には、所有している商品を他のユーザが識別可能なように、その商品名が最低限入力されれば良く、そのオークションに関する詳細な情報を入力する必要がない。
【０３０３】
また、オークションサーバ１−２のシステム制御部２０が、出品情報が登録された場合に、当該出品情報に含まれるカタログＩＤと同一のカタログＩＤを含む欲しい商品情報が対応するユーザの利用するユーザ端末４−ｋに、当該欲しい商品情報が示す商品が出品されたことを通知する出品通知メールを当該ユーザ宛に送信するとともに、欲しい商品情報中に欲しい商品オークション情報を追加設定して、欲しいものリスト登録エリア８００を含むマイオークションページ２００を送信する際に、欲しいものリスト登録エリア８００にオークション情報表示エリア８２４を埋め込むようになっている。
【０３０４】
従って、商品が出品されたことが、その商品の出品を要望した出品要求者に対して通知されるので、オークションサイトでの入札が促進されるとともに、その結果として、入札が期待されることから、オークションサイトへの出品が促進されることとなる。
【０３０５】
また、オークションサーバ１−２のシステム制御部２０が、ユーザ端末４−ｋから入力欲しい商品情報を受信し、入力欲しい商品情報を含む欲しい商品情報をオークションデータベース１０２に登録し、出品情報を登録した場合に、当該出品情報が示す商品に関して欲しい商品情報として登録しているユーザに対して出品通知メールを送信したり、欲しいものリスト登録エリア８００にオークション情報表示エリア８２４を埋め込むようになっている。ここで、オークションサーバ１−２のシステム制御部２０が、出品要望リクエストを受信した場合には、出品が要望された商品を欲しい商品として、欲しい商品情報を登録するようになっている。
【０３０６】
従って出品を要望されたユーザが、要望された商品を出品しなかったとしても、他のユーザが同じ商品を出品した場合には、そのことを出品要求者は容易に認識することができるので、出品要求者は、代わりに他のユーザから出品された所望の商品を入札することができる。
【０３０７】
また、オークションサーバ１−２のシステム制御部２０が、持っているものリスト表示エリア１１００を含むマイオークションページ２００生成して、ユーザ端末４−ｋからのリクエストに応じて送信し、出品要望リクエストを受信した場合には、当該出品要望リクエストに基づいて特定されたお気に入り所有商品情報が示す商品についてのリマインド出品リクエストを送信するための出品ボタン１１３６が表示されるように、マイオークションページ２００のリスト表示エリア１１００を生成し、前記出品ボタン１１３６がユーザに選択されたことによってユーザ端末４−ｋから送信されてきたリマインド出品リクエストを受信するようになっている。
【０３０８】
従って、所有している商品に関するお気に入り所有商品情報が、その商品を所有するユーザ自身により閲覧され、出品ボタン１１３６が選択されることにより、所有している商品が出品されることとなるが、このとき、出品が要望された商品について出品ボタン１１３６が表示されるので、自分が所有している商品のうち、需要のある商品が明確になり、更に、その商品をスムーズに出品することができる。
【０３０９】
また、オークションサーバ１−２のシステム制御部２０が、出品リマインドしきい要望人数が２人以上に設定されている場合には、１のお気に入り所有商品情報が示す商品に対して、少なくとも出品リマインドしきい要望人数に設定されている複数の人数以上のユーザから出品の要望があったと判定した場合に、出品リマインドメールを送信したり、リスト表示エリア１１００に出品ボタン１１３６を埋め込むようになっている。
【０３１０】
従って、出品リマインドしきい要望人数が２人以上に設定されている場合には、この設定されている人数のユーザから出品が要望された場合に、要望された商品を所有するユーザに対して通知が行われるので、ユーザが所有している商品に対して複数の需要があることを認識することによって、この商品を出品した場合には複数の入札が行われる可能性があるという期待感を持たせることができる。
【０３１１】
なお、上記実施形態においては、オークションサーバ１−２のシステム制御部２０は、出品要望リクエストを受信したら、即座に、出品が要望された商品に関する欲しい商品情報を登録していたが、例えば、当該リクエストの受信後、予め定められた期間（例えば、１週間）が経過したときに登録しても良い。
【０３１２】
このようにすることで、出品を要望してから一定の期間が経過するまでは、出品を要望した商品が、要望したユーザの欲しい商品として登録されないので、出品を要望されたユーザがこの期間内に出品を行えば、このユーザから欲しい商品が出品されたことのみが出品を要望したユーザに通知される。従って、出品を要望されたユーザ自身が出品した商品が他のユーザに優先して入札の対象とされるので、出品の要望の通知を受けて出品したのに入札されなかったという不都合を防止することができる。一方、一定の期間が経過した後に、出品を要望した商品が欲しい商品として登録され、これによって、その商品が他のユーザから出品された場合にも、出品を要求したユーザに通知されるので、出品を要望されたユーザが出品しなかった場合でも、出品を要求したユーザは、他のユーザから所望の商品を入手することができる。
【０３１３】
また、上記実施形態においては、オークションサーバ１−２のシステム制御部２０は、出品要望リクエストを受信すると、欲しい商品情報を登録していたが、この登録を行わなくても良い。この場合においても、お気に入り所有商品情報の出品要望関連情報には、出品を要望したユーザの会員ＩＤが登録されているので、オークションサーバ１−２のシステム制御部２０は、例えば、出品情報を登録するときに、この会員ＩＤから出品を要望したユーザを特定し、このユーザに対して、要望した商品が出品されたことを通知する処理を行えば良い。
【０３１４】
また、上記実施形態においては、出品リマインドしきい要望人数をユーザ毎に設定するようにしていたが、例えば、システム全体として１のしきい値を保持するようにしても良い。この場合において、オークションサーバ１−２のシステム制御部２０は、この１のしきい値と出品要望人数とを比較することによって、出品リマインドの処理を行えば良い。このときのしきい値は、１人でも複数人でも良い。
【０３１５】
また、上記実施形態においては、オークションサーバ１−２のシステム制御部２０は、出品要望リクエストを受信した商品についてのみ、マイオークションページ２００の持っているものリスト表示エリア１１００に出品ボタン１１３６を埋め込むようにしていたが、持っているものリストの商品全てについて、最初から出品ボタン１１３６を埋め込むようにしても良い。
【０３１６】
なお、上記実施形態においては、仕様識別情報として、カタログＩＤを適用していたが、商品の仕様を特定可能な情報であれば、カタログＩＤ以外の、例えば、カタログ情報に設定されている商品名や型番等で合っても良い。一方、ユーザによって入力または編集されて欲しい商品情報に設定される商品名等は、その内容がユーザによって自由に決定することが可能なテキスト情報であるので、商品の仕様を特定し得る情報とはならない。つまり、仕様識別情報としては、その情報によって、対象となる商品を一意に特定することが可能であることが必要である。
【図面の簡単な説明】
【０３１７】
【図１】本実施形態に係る商品取引システムＳの概要構成の一例を示す図である。
【図２】本実施形態に係るショッピングサーバ１−１、オークションサーバ１−２及びＳＮＳ・ブログサーバ１−３の概要構成の一例を示すブロック図である。
【図３】会員情報データベース１００に登録される情報の内容の一例を示す図である。
【図４】ショッピングデータベース１０１に登録される情報の内容の一例を示す図である。
【図５】オークションデータベース１０２に登録される情報の内容の一例を示す図である。
【図６】（ａ）は、欲しい商品情報に設定される内容の一例を示す図であり、（ｂ）は、お気に入り所有商品情報に設定される内容の一例を示す図である。
【図７】本実施形態に係る商品取引システムＳの処理例を示すシーケンス図である。
【図８】本実施形態に係る商品取引システムＳの処理例を示すシーケンス図である。
【図９】本実施形態に係る商品取引システムＳの処理例を示すシーケンス図である。
【図１０】カタログページ３００の表示例を示す図である。
【図１１】持っているものリスト登録ページ９００の表示例を示す図である。
【図１２】欲しいものリスト登録ページ７００の表示例を示す図である。
【図１３】プロフィールページ１０００の表示例を示す図である。
【図１４】マイオークションページ２００の表示例を示す図である。
【図１５】マイオークションページ２００の他の表示例を示す図である。
【図１６】出品情報入力ページ４００の表示例を示す図である。
【図１７】出品商品詳細ページ５００の表示例を示す図である。
【図１８】マイオークションページ２００の他の表示例を示す図である。
【図１９】本実施形態に係るオークションサーバ１−２のシステム制御部２０の出品要望リクエスト受信時処理における処理例を示すフローチャートである。
【図２０】本実施形態に係るオークションサーバ１−２のシステム制御部２０のリマインド出品リクエスト受信時処理における処理例を示すフローチャートである。
【図２１】本実施形態に係るオークションサーバ１−２のシステム制御部２０の出品通知制御処理における処理例を示すフローチャートである。
【符号の説明】
【０３１８】
１  商品取引サイトシステム
１−１  ショッピングサーバ
１−２  オークションサーバ
１−３  ＳＮＳ・ブログサーバ
３−ｊ  店舗端末
４−ｋ  ユーザ端末
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
１００  会員情報データベース
１０１  ショッピングデータベース
１０２  オークションデータベース
ＮＷ１、ＮＷ２  ネットワーク
Ｓ  商品取引システム
【図１】
0005156465.tif 000002
【図２】
0005156465.tif 000003
【図３】
0005156465.tif 000004
【図４】
0005156465.tif 000005
【図５】
0005156465.tif 000006
【図６】
0005156465.tif 000007
【図７】
0005156465.tif 000008
【図８】
0005156465.tif 000009
【図９】
0005156465.tif 000010
【図１０】
0005156465.tif 000011
【図１１】
0005156465.tif 000012
【図１２】
0005156465.tif 000013
【図１３】
0005156465.tif 000014
【図１４】
0005156465.tif 000015
【図１５】
0005156465.tif 000016
【図１６】
0005156465.tif 000017
【図１７】
0005156465.tif 000018
【図１８】
0005156465.tif 000019
【図１９】
0005156465.tif 000020
【図２０】
0005156465.tif 000021
【図２１】
0005156465.tif 000022